(57)【要約】【課題】ケーシングの内部に撮像装置を簡便に据え付けることができる空気処理装置を提案する。【解決手段】ケーシング（20）の本体（20a）には、所定の構成部品（47,49）が設けられる。撮像装置（70）は、撮像対象（40,43,45,60,66）を撮像可能な位置となるように構成部品（47,49）に着脱可能に取り付けられる取付部（52）を有する。【選択図】図５
2019039657.tif 000002
【特許請求の範囲】
【請求項１】
ケーシング（20）と、
前記ケーシング（20）の内部に位置する所定の撮像対象（40,43,45,60,66）の画像データを取得する撮像装置（70）とを備え、
前記ケーシング（20）の本体（20a）には、所定の構成部品（47,49）が設けられ、
前記撮像装置（70）は、該撮像対象（40,43,45,60,66）を撮像可能な位置となるように前記構成部品（47,49）に着脱可能に取り付けられる取付部（52）を有することを特徴とする空気処理装置。
【請求項２】
請求項１において、
前記取付部（52）は、
前記構成部品（47,49）を挟むように対向する一対の挟持部材（53）と、
前記一対の挟持部材（53）の間隔を狭めるように該挟持部材（53）を押し付ける押付部材（55）とを備えていることを特徴とする空気処理装置。
【請求項３】
請求項１又は２において、
前記撮像装置（70）で取得した画像データを無線により前記ケーシング（20）の外部へ伝送する無線通信部（77）を備えていることを特徴とする空気処理装置。
【請求項４】
請求項１乃至３のいずれか１つにおいて、
前記撮像装置（70）で取得した画像データを有線によりケーシング（20）の外部へ伝送する伝送線（91）と、
前記ケーシング（20）の外部に配置されるとともに、前記伝送線（91）の出力データを無線により所定の受信部（80）へ伝送する無線通信部（77）とを備えていることを特徴とする空気処理装置。
【請求項５】
請求項１乃至４のいずれか１つにおいて、
一端が前記撮像装置（70）に接続するとともに、前記ケーシング（20）の外部まで配設される配線（56）を備え、
前記配線（56）の他端には、外部配線（86）が接続されるコネクタ（56a）が設けられることを特徴とする空気処理装置。
【請求項６】
請求項１乃至５のいずれか１つにおいて、
前記撮像装置（70）は、広角式又は魚眼式のレンズ（71）を備えていることを特徴とする空気処理装置。
【請求項７】
請求項１乃至６のいずれか１つにおいて、
前記撮像装置（70）は、レンズ（71）と、該レンズ（71）よりも撮像方向における後方に位置する光源（72）とを備えていることを特徴とする空気処理装置。
【請求項８】
請求項１乃至７のいずれか１つにおいて、
前記撮像対象（40,43,45,60,66）は、ドレンパン（60）、排水口、ドレンポンプ（66）、フロートスイッチ、及び加湿エレメント（45）の少なくとも１つを含んでいることを特徴とする空気処理装置。
【請求項９】
請求項１乃至８のいずれか１つにおいて、
前記構成部品（47,49）は、配管（47,49）であることを特徴とする空気処理装置。
【請求項１０】
請求項１乃至９のいずれか１つにおいて、
ケーシング（20）から吹き出される吹出空気の平均流速をＶａとすると、
前記撮像装置（70）は、前記吹出空気の平均流速Ｖａの３０％以下の空気が流れる位置に配置されることを特徴とする空気処理装置。
【請求項１１】
請求項１乃至１０のいずれか１つにおいて、
前記撮像装置（70）のレンズ（71）は、空気流れの下流側を向いていることを特徴とする空気処理装置。
【発明の詳細な説明】
【技術分野】
【０００１】
本発明は、空気処理装置に関する。
【背景技術】
【０００２】
従来より、空気調和装置等の空気処理装置が広く知られている。特許文献１には、空気調和装置のケーシングの内部において、所定の撮像対象の画像データを取得する技術が開示されている。
【０００３】
特許文献１の空気調和装置では、室内ユニットのケーシングの内部にカメラ（撮像装置）が設置される。カメラは、撮像対象（例えばフィルタ）を撮像できる位置に設けられる。カメラで撮像された撮像対象の画像データは、ＬＡＮを介して集中監視装置に出力される。サービス業者等は、集中監視装置に伝送された画像データを確認することで、撮像対象の状態（例えばフィルタの目詰まり、破れ、設置状況等）を把握することができる。
【先行技術文献】
【特許文献】
【０００４】
【特許文献１】特開２００７−４６８６４号公報
【発明の概要】
【発明が解決しようとする課題】
【０００５】
上述した空気処理装置において、カメラによって撮像対象の画像データを撮像するためには、カメラをケーシングの内部の所定箇所に据え付ける必要がある。特許文献１では、このようなカメラの取り付けについて何ら考慮されていなかった。
【０００６】
本開示の目的は、ケーシングの内部に撮像装置を簡便に据え付けることができる空気処理装置を提案することである。
【課題を解決するための手段】
【０００７】
第１の態様は、ケーシング（20）と、前記ケーシング（20）の内部に位置する所定の撮像対象（40,43,45,60,66）の画像データを取得する撮像装置（70）とを備え、前記ケーシング（20）の本体（20a）には、所定の構成部品（47,49）が設けられ、前記撮像装置（70）には、該撮像対象（40,43,45,60,66）を撮像可能な位置となるように前記構成部品（47,49）に着脱可能に取り付けられる取付部（52）が設けられることを特徴とする空気処理装置である。
【０００８】
第１の態様の撮像装置（70）は、取付部（52）を介して所定の構成部品（47,49）に取り付けられる。取付部（52）は、構成部品（47,49）に着脱可能に構成されるため、撮像装置（70）の取り付け作業を簡便に行うことができる。
【０００９】
第２の態様は、第１の態様において、
前記取付部（52）は、
前記構成部品（47,49）を挟むように対向する一対の挟持部材（53）と、
前記一対の挟持部材（53）の間隔を狭めるように該挟持部材（53）を押し付ける押付部材（55）とを備えていることを特徴とする空気処理装置である。
【００１０】
第２の態様では、構成部品（47,49）を一対の挟持部材（53）に挟み込んだ状態で、これらの挟持部材（53）を押付部材（55）により押し付ける。この結果、撮像装置（70）を構成部品に簡便に取り付けることができる。
【００１１】
第３の態様は、第１又は２の態様において、
前記撮像装置（70）で取得した画像データを無線により前記ケーシング（20）の外部へ伝送する無線通信部（77）を備えていることを特徴とする空気処理装置である。
【００１２】
第３の態様では、撮像装置（70）で取得した画像データが、無線通信部（77）によって、ケーシング（20）の外部へ伝送される。このため、画像データの伝送用の配線をケーシング（20）の内部から外部へ引き回す必要がなくなる。
【００１３】
第４の態様は、第１乃至３の態様のいずれか１つにおいて、
前記撮像装置（70）で取得した画像データを有線によりケーシング（20）の外部へ伝送する伝送線（91）と、
前記ケーシング（20）の外部に配置されるとともに、前記伝送線（91）の出力データを無線により所定の受信部（80）へ伝送する無線通信部（77）とを備えていることを特徴とする空気処理装置である。
【００１４】
第４の態様では、撮像装置（70）で取得した画像データが、伝送線（91）を介してケーシング（20）の外部へ送られる。そして、ケーシング（20）の外部の無線通信部（77）により、画像データが受信部（80）へ伝送される。ケーシング（20）の内部に無線通信部（77）を設けた場合、ケーシング（20）の内部から外部への画像データの伝送が、ケーシング（20）により阻害される可能性がある。これに対し、本発明では、画像データをケーシング（20）の外部へ有線により伝送した後、この画像データを無線により受信部（80）へ送るようにしている。このため、画像データを確実に受信部（80）へ送ることができる。
【００１５】
第５の態様は、第１乃至４の態様のいずれか１つにおいて、
一端が前記撮像装置（70）に接続するとともに、前記ケーシング（20）の外部まで配設される配線（56）を備え、
前記配線（56）の前記他端には、外部配線（86）が連結されるコネクタ（56a）が設けられることを特徴とする空気処理装置である。
【００１６】
第５の態様では、撮像装置（70）に接続する配線（56）が、ケーシング（20）の外部に配設され、コネクタ（56a）を介して外部配線（86）と連結される。このため、撮像装置（70）の配線作業を簡便に行うことできる。
【００１７】
第６の態様は、第１乃至５の態様のいずれか１つにおいて、
前記撮像装置（70）は、広角式又は魚眼式のレンズ（71）を備えていることを特徴とする空気処理装置である。
【００１８】
第６の態様の撮像装置（70）は、広角式又は魚眼式のレンズ（71）により、撮像対象（40,43,45,60,66）を撮像する。これにより、撮像装置（70）の画角ないし撮像範囲が広くなる。
【００１９】
第７の態様は、第１乃至６の態様のいずれか１つにおいて、
前記撮像装置（70）は、レンズ（71）と、該レンズ（71）よりも撮像方向における後方に位置する光源（72）とを備えていることを特徴とする空気処理装置である。
【００２０】
第７の態様では、光源（72）がレンズ（71）の後方に位置するため、撮像装置（70）の撮像範囲に光源（72）が入り込むことを回避できる。
【００２１】
第８の態様は、第１乃至７の態様のいずれか１つにおいて、
前記撮像対象（40,43,45,60,66）は、ドレンパン（60）、排水口、ドレンポンプ（66）、フロートスイッチ、及び加湿エレメント（45）の少なくとも１つを含んでいることを特徴とする空気処理装置である。
【００２２】
第８の態様では、撮像装置（70）が、ドレンパン（60）、排水口、ドレンポンプ（66）、フロートスイッチ、及び加湿エレメント（45）の少なくとも１つの画像データを取得する。このため、この画像データに基づき、ドレンパン（60）の内部の汚れ、ドレンパン（60）の内部での菌やカビの繁殖、排水口の汚れや詰まり、ドレンポンプ（66）の故障、加湿エレメント（45）の汚れ・菌やカビの繁殖・破損などを確認することができる。
【００２３】
第９の態様は、第１乃至８の態様のいずれか１つにおいて、
前記構成部品は、配管（47,49）であることを特徴とする空気処理装置である。
【００２４】
第９の態様では、構成部品としての配管（47,49）に取付部（52）が着脱可能に構成される。つまり、配管（47,49）が撮像装置（70）を支持する部品として機能する。
【００２５】
第１０の態様は、第１乃至９の態様のいずれか１つにおいて、
ケーシング（20）から吹き出される吹出空気の平均流速をＶａとすると、
前記撮像装置（70）は、前記吹出空気の平均流速Ｖａの３０％以下の空気が流れる位置に配置されることを特徴とする空気処理装置である。
【００２６】
第１０の態様では、撮像装置（70）が配置される箇所の空気の流速が比較的小さいため、空気中の塵埃等が撮像装置（70）のレンズなどに付着して汚れるのを抑制できる。
【００２７】
第１１の態様は、第１乃至１０のいずれか１つの態様において、前記撮像装置（70）のレンズ（71）は、空気流れの下流側を向いていることを特徴とする。
【００２８】
第１１の態様では、撮像装置（70）のレンズ（71）が空気流れの下流側を向いているため、該レンズ（71）に空気中の塵埃等が付着して汚れるのを抑制できる。
【発明の効果】
【００２９】
本態様によれば、ケーシング（20）の本体（20a）に設けられる構成部品（47,49）に取付部（52）を介して撮像装置（70）を取り付け可能となるため、撮像装置（70）の据え付け作業を簡便に行うことができる。構成部品（47,49）は、撮像装置（70）を支持する部材として機能するため、部品点数を削減できる。
【図面の簡単な説明】
【００３０】
【図１】図１は、実施形態１に係る空気調和装置の内部構造を示す平面図である。
【図２】図２は、実施形態１に係る空気調和装置の正面図である。
【図３】図３は、実施形態１に係る空気調和装置の内部構造を示す縦断面図である。
【図４】図４は、実施形態１に係る空気調和装置の正面パネル側の概略構成を示す斜視図である。
【図５】図５は、実施形態１に係る撮像ユニットの構造を示す斜視図である。
【図６】図６は、実施形態１に係る撮像システムの概略構成を示すブロック図である。
【図７】図７は、実施形態２に係る空気調和装置の内部構造を示す平面図である。
【図８】図８は、実施形態２に係る空気調和装置の内部構造を示す断面図である。
【図９】図９は、変形例に係る撮像ユニットの構造を示す斜視図である。
【図１０】図１０は、実施形態２に係る撮像ユニットの構造を示す斜視図である。
【図１１】図１１は、変形例１に係る撮像システムの概略構成を示すブロック図である。
【図１２】図１２は、変形例２に係る撮像システムの概略構成を示すブロック図である。
【図１３】図１３は、変形例３に係る撮像システムの概略構成を示すブロック図である。
【図１４】図１４は、変形例３に係る各機器の動作のタイミングを示すタイムチャートである。
【図１５】図１５は、変形例３の他の制御例１に係る各機器の動作のタイミングを示すタイムチャートである。
【図１６】図１６は、変形例３の他の制御例２に係る各機器の動作のタイミングを示すタイムチャートである。
【図１７】図１７は、変形例３の他の制御例３に係る各機器の動作のタイミングを示すタイムチャートである。
【図１８】図１８は、変形例３の他の制御例４に係る各機器の動作のタイミングを示すタイムチャートである。
【図１９】図１９は、変形例４に係る撮像システムの概略構成を示すブロック図である。
【図２０】図２０は、変形例５に係る撮像装置の周囲を拡大した概略の平面図である。
【図２１】図２１は、変形例７に係る撮像装置の周囲を拡大した概略の平面図である。
【図２２】図２２は、変形例８に係る撮像装置の周囲を拡大した概略の平面図である。
【図２３】図２３は、カメラと光源の位置関係を示した斜視図である。
【図２４】図２４は、実施形態３に係る空気調和装置の縦断面図である。
【発明を実施するための形態】
【００３１】
以下、本開示の実施形態について図面を参照しながら説明する。なお、以下の実施形態は、本質的に好ましい例示であって、本発明、その適用物、あるいはその用途の範囲を制限することを意図するものではない。
【００３２】
《実施形態１》
実施形態１に係る空気処理装置は、空気調和装置（10）である。空気調和装置（
10）は、空気の少なくとも温度を調節する。具体的に、空気調和装置（10）は、室内空気（RA）の温度を調節し、温度を調節した空気を供給空気（SA）として室内へ供給する。空気調和装置（10）は、天井裏の空間に設置される室内ユニット（11）を備えている。室内ユニット（11）は、冷媒配管を介して室外ユニット（図示省略）に接続される。これにより、空気調和装置（10）では、冷媒回路が構成される。冷媒回路では、充填された冷媒が循環することで蒸気圧縮式の冷凍サイクルが行われる。なお、室外ユニットには、冷媒回路に接続される圧縮機及び室外熱交換器と、室外熱交換器に対応する室外ファンが設けられる。
【００３３】
〈室内ユニット〉
図１〜図３に示すように、室内ユニット（11）は、天井裏に設置されるケーシング（20）と、ケーシング（20）に収容されるファン（40）及び室内熱交換器（43）を備えている。ケーシング（20）の内部には、該ケーシング（20）内の空気中から発生した凝縮水を回収するドレンパン（60）と、ドレンパン（60）に溜まった水を排出するためのドレンポンプ（66）とが設けられる。
【００３４】
〈ケーシング〉
ケーシング（20）は、直方体の中空箱形に形成されている。ケーシング（20）は、天板（21）、底板（22）、及び４つの側板（23,24,25,26）を有している。４つの側板は、前面パネル（23）、後面パネル（24）、第１側面パネル（25）、及び第２側面パネル（26）で構成される。前面パネル（23）及び後面パネル（24）は、互いに対向している。第１側面パネル（25）及び第２側面パネル（26）は互いに対向している。
【００３５】
前面パネル（23）は、メンテナンス用空間（15）に面している。前面パネル（23）側には、電装品箱（16）、点検口（50）、及び点検蓋（51）が設けられる。第１側面パネル（25）には、吸込口（31）が形成される。吸込口（31）には、吸込ダクト（図示省略）が接続される。吸込ダクトの流入端は、室内空間に繋がっている。第２側面パネル（26）には、吹出口（32）が形成される。吹出口（32）には、吹出ダクト（図示省略）が接続される。吹出ダクトの流出端は、室内空間に繋がっている。ケーシング（20）の内部には、吸込口（31）から吹出口（32）までの間に空気流路（33）が形成される。
【００３６】
〈ファン〉
ファン（40）は、空気流路（33）における第１側面パネル（25）寄りに配置される。ファン（40）は、空気流路（33）の空気を搬送する。本実施形態では、３台のシロッコ型ファン（41）が、１つのモータ（42）に駆動される（図１を参照）。
【００３７】
〈室内熱交換器〉
室内熱交換器（43）は、空気流路（33）における第２側面パネル（26）寄りに配置される。室内熱交換器（43）は、例えばフィンアンドチューブ式の熱交換器で構成される。本実施形態の室内熱交換器（43）は、斜め置きの配置となる。蒸発器となる室内熱交換器（43）は、空気を冷却する冷却部を構成する。
【００３８】
図３に示すように、室内熱交換器（43）の前側には、配管（厳密には冷媒配管）であるヘッダ集合管（47）が設けられる。ヘッダ集合管（47）は、室内熱交換器（43）の側縁に沿うように斜めに延びている。ヘッダ集合管（47）は、分岐管（図示省略）を介して室内熱交換器（43）の伝熱管に接続される。
【００３９】
〈ドレンパン〉
図３に模式的に示すように、ドレンパン（60）は、底板（22）に沿うように、室内熱交換器（43）の下側に配置される。ドレンパン（60）は、第１側壁（61）、第２側壁（62）、及び底部（63）を含んでいる。第１側壁（61）は、室内熱交換器（43）の上流側に位置する。第２側壁（62）は、室内熱交換器（43）の下流側に位置する。底部（63）は、第１側壁（61）と第２側壁（62）とに亘って形成される。底部（63）には、中央寄りに略台形状の断面を有する凹部（64）が形成される。ドレンパン（60）では、この凹部（64）の底面の高さが、最も低くなる。つまり、凹部（64）には、最も深い最深部が構成されている。
【００４０】
〈ドレンポンプ〉
ドレンポンプ（66）は、ドレンパン（60）の内部に配置される。具体的に、ドレンポンプ（66）の吸込部（66a）は、ドレンパン（60）の凹部（64）の内部に配置される。ドレンポンプ（66）の吐出部には、ドレン配管（67）の流入端が接続される。ドレン配管（67）は、ケーシング（20）の前面パネル（23）を水平方向に貫通している。ドレンポンプ（66）が運転されると、ドレンパン（60）に溜まった凝縮水が汲み上げられる。汲み上げられた水は、ドレン配管（67）を介してケーシング（20）の外部へ排出される。
【００４１】
〈電装品箱〉
図１に示すように、電装品箱（16）は、前面パネル（23）のファン（40）寄りに配置される。電装品箱（16）の内部には、電源回路や制御回路等が搭載されたプリント基板（17）、各回路に接続される配線、強電側電源部、弱電側電源部などが収容される。電装品箱（16）は、前側が開口する箱本体（16a）と、箱本体（16a）の開口面を開閉する電装品蓋（16b）とを含んでいる。電装品蓋（16b）は、前面パネル（23）の一部を構成している。電装品蓋（16b）を取り外すことで、電装品箱（16）の内部がメンテナンス用空間（15）に露出される。
【００４２】
〈点検口及び点検蓋〉
図１に示すように、点検口（50）は、前面パネル（23）の室内熱交換器（43）寄りに配置される。図２及び図４に示すように、点検口（50）は、長方形部分（50a）と、該長方形部分の下側の一方の角部と連続する三角形部分（50b）とで構成される。三角形部分（50b）は、長方形部分（50a）から第２側面パネル（26）側に突出している。点検口（50）は、ドレンパン（60）に対応する位置に形成される。点検口（50）から点検蓋（51）を取り外すことで、メンテナンス用空間（15）側からドレンパン（60）の内部を点検することができる。
【００４３】
点検蓋（51）は、点検口（50）と略相似形で、且つ点検口（50）よりもやや大きな形状をしている。点検蓋（51）の外縁部には、点検蓋（51）をケーシング本体（20a）に取り付けるための複数（本例では３つ）の締結穴が形成される。点検蓋（51）は、これらの締結穴に挿通される複数の締結部材（例えばボルト）によって、ケーシング本体（20a）に固定される。このような構成により、点検蓋（51）は、点検口（50）を開閉するようにケーシング本体（20a）に着脱可能に取り付けられる。
【００４４】
〈取付部及びカメラ〉
図５に示すように、撮像システム（S）は、撮像装置であるカメラ（70）、調整機構（100）、及び取付部（52）を含む撮像ユニットを備えている。本実施形態のカメラ（70）は、構成部品であるヘッダ集合管（47）に取付部（52）を介して取り付けられる（詳細は後述する）。
【００４５】
カメラ（70）は、撮像対象となるドレンパン（60）の画像データを撮像する撮像装置を構成している。カメラ（70）は、レンズ（71）と光源（フラッシュ）とを有している。レンズ（71）は、例えば超広角レンズで構成される。
【００４６】
調整機構（100）は、ボールジョイント（101）を備えている。ボールジョイント（101）は、取付部（52）側に固定される第１継手（110）と、カメラ（70）側に固定される第２継手（120）とを有する。
【００４７】
第１継手（110）は、ロッド（111）と、該ロッド（111）の先端に設けられるソケット（112）とを有する。ソケット（112）は、中空状の球体の一部が切除された形状であり、その内部に略球状の嵌合凹部（113）が形成される。嵌合凹部（113）の開口端の周縁部には、複数の切り欠き溝（114）（本例では４つ）が形成される。複数の切り欠き溝（114）は、等間隔置きに周方向に配列される。切り欠き溝（114）の数量はこれに限られず、この切り欠き溝（114）を省略することもできる。
【００４８】
第２継手（120）は、カメラ（70）に連結される回動軸（121）と、回動軸（121）の先端に設けられるボール（122）とを有する。ボール（122）は、ソケット（112）の嵌合凹部（113）に内嵌する。ボール（122）は、嵌合凹部（113）と球面接触するように該ソケット（112）に保持される。つまり、ボール（122）は、嵌合凹部（113）の内部で回転自在に構成される。回動軸（121）は、ボール（122）とともに傾動可能で、且つ回動軸（121）の軸心を中心として回転可能に構成される。更に、回動軸（121）は、ソケット（112）の各切り欠き溝（114）に係合可能である。回動軸（121）を切り欠き溝（114）に係合させることで、回動軸（121）の位置決めを行うことができる。
【００４９】
以上のような構成により、カメラ（70）は、ロッド（111）の軸心を中心として３６０°向きを変えることができ、且つロッド（111）の軸心に対する傾斜角度を変更可能に構成される。これにより、撮像対象の位置に応じて、カメラ（70）の撮像方向を任意に調整できる。
【００５０】
本例の取付部（52）は、クリップ式で構成される。取付部（52）は、一対の挟持部材（53）と、該一対の挟持部材（53）を内方へ付勢する弾性部材（例えばスプリング、図示省略）とを有する。各挟持部材（53）は、略矩形状の突板部（53a）と、該突板部（53a）の先端に支持される把持部（53b）とを有する。一対の突板部（53a）の基端側には、該突板部（53a）を互いに回動可能に支持する支持軸（図示省略）が設けられる。把持部（53b）は、外側に向かって膨出する略円弧状に形成される。一対の把持部（53b）は、互いに対向するように配置される。スプリングは、一対の挟持部材（53）の間に配置される。スプリングは、一対の挟持部材（53）の間隔を狭めるように該挟持部材（53）を押し付ける押付部材を構成する。
【００５１】
〈撮像システム〉
本実施形態に係る撮像システム（S）について、図６を参照しながら説明する。本実施形態に係る撮像システム（S）は、上述したカメラ（70）と、電源部（18）と、通信端末（80）とを含んでいる。
【００５２】
上述したカメラ（70）は、室内ユニット（11）のケーシング（20）内に設けられる。カメラ（70）は、撮像制御部（74）と、記憶部（75）と、ＩＤ付与部（76）と、無線通信部（77）とを有している。
【００５３】
撮像制御部（74）は、外部から入力された撮像指令に応じて、カメラ（70）の撮像の動作を制御する。具体的に、本実施形態では、通信端末（80）から無線通信部（77）に撮像指令を示す信号が入力されると、カメラ（70）によって撮像対象を撮像する動作を実行させる。これにより、カメラ（70）では、撮像対象（本実施形態では、ドレンパン（60））の画像データが取得される。撮像制御部（74）は、マイクロコンピュータと、該マイクロコンピュータを動作させるためのソフトウエアを格納するメモリディバイス（具体的には半導体メモリ）とを用いて構成されている。
【００５４】
記憶部（75）は、取得された画像データを記憶していく。記憶部（75）は、種々のメモリディバイス（半導体メモリ）によって構成される。
【００５５】
ＩＤ付与部（76）は、画像データに対応するＩＤ情報を、対応する画像データに関連付ける。このＩＤ情報としては、撮像した日付／時間、撮像したドレンパン（60）に対応する空気調和装置の機種／場所などが挙げられる。従って、記憶部（75）には、これらのＩＤ情報を含む画像データが記憶されていく。
【００５６】
無線通信部（77）は、無線によって通信端末（80）と接続される。無線式の伝送手段を構成している。無線通信部（77）は、例えば無線式のルータで構成される。無線通信部（77）は、空気調和装置（10）の周辺の通信端末（80）と無線ＬＡＮを経由して接続される。これにより、カメラ（70）と通信端末（80）との間でデータの授受が可能となる。具体的には、無線通信部（77）は、カメラ（70）で取得した画像データを無線により通信端末（80）へ伝送する。また、無線通信部（77）には、通信端末（80）（サービス業者等）からの撮像指令が適宜受信される。なお、無線通信部（77）は、例えば携帯高速通信技術（例えばＬＴＥ）の通信回線を利用するものであってもよい。
【００５７】
電源部（18）は、例えば空気調和装置（10）の電装品箱（16）の内部に設けられる。カメラ（70）の電源線（85）は、例えば点検口（50）を介してケーシング（20）の外部へ導かれ、該外部から電装品箱（16）の内部へ引き込まれる。このような配線により、ケーシング（20）内のカメラ（70）と電装品箱（16）内の電源部（18）とが電源線（85）を介して接続される。これにより、電源部（18）からカメラ（70）に電力が供給される。この電源部（18）は、空気調和装置（10）の他の機器の電源を兼用している。
【００５８】
通信端末（80）は、無線ＬＡＮ等と接続可能なスマートフォン、タブレット端末、携帯電話、パーソナルコンピュータ等で構成される。通信端末（80）は、マイクロコンピュータと、該マイクロコンピュータを動作させるためのソフトウエア、記憶部としてのメモリディバイス、画像データを受信するための受信部、所定の指令を出力するための送信部を含んでいる。
【００５９】
また、通信端末（80）は、操作部（81）と表示部（82）とを有する。サービス業者等は、キーボードやタッチパネル等の操作部（81）により、所定のアプリケーションソフトを操作する。表示部（82）に表示されたアプリケーションソフト上では、例えばカメラ（70）の撮像を実行するための指令を送信したり、カメラ（70）で取得した画像データをダウンロードしたりできる。
【００６０】
−運転動作−
実施形態１に係る空気調和装置（10）の基本的な運転動作について図１及び図３を参照しながら説明する。空気調和装置（10）は、冷房運転と暖房運転とを実行可能に構成される。
【００６１】
冷房運転では、室外ユニットの圧縮機で圧縮された冷媒が、室外熱交換器で放熱（凝縮）し、膨張弁で減圧される。減圧された冷媒は、室内ユニット（11）の室内熱交換器（43）で蒸発し、圧縮機で再び圧縮される。
【００６２】
ファン（40）が運転されると、室内空間の室内空気（RA）が吸込口（31）から空気流路（33）に吸い込まれる。空気流路（33）の空気は、室内熱交換器（43）を通過する。室内熱交換器（43）では、冷媒が空気から吸熱することでこの空気が冷却される。冷却された空気は、吹出口（32）を通過した後、供給空気（SA）として室内空間へ供給される。
【００６３】
ここで、室内熱交換器（43）で空気が露点温度以下にまで冷却されると、空気中の水分が凝縮する。このようにして発生した凝縮水は、ドレンパン（60）へ適宜回収される。ドレンパン（60）に回収された凝縮水は、ドレンポンプ（66）によってケーシング（20）の外部へ排出される。
【００６４】
一方、暖房運転では、室外ユニットの圧縮機で圧縮された冷媒が、室内ユニット（11）の室内熱交換器（43）で放熱（凝縮）し、膨張弁で減圧される。減圧された冷媒は、室外ユニットの室外熱交換器で蒸発し、圧縮機で再び圧縮される。このため、室内熱交換器（43）では、冷媒が空気に放熱し、該空気が加熱される。
【００６５】
〈カメラの取付作業〉
本実施形態のカメラ（70）は、取付部（52）を介してヘッダ集合管（47）に取り付けられる。具体的に、ケーシング本体（20a）から点検口（50）を取り外すと、ケーシング（20）の外部にヘッダ集合管（47）が露出する状態となる。この状態で、ヘッダ集合管（47）に取付部（52）を取り付ける。ヘッダ集合管（47）を一対の挟持部材（53）で挟み込むと、付勢された把持部（53b）によりヘッダ集合管（47）が保持される。この結果、カメラ（70）は、取付部（52）を介してヘッダ集合管（47）に支持される。この状態では、カメラ（70）のレンズ（71）が斜め下を向く状態になる。次いで、調整機構（100）により、カメラ（70）の撮像方向を微調整する。この結果、カメラ（70）の撮像範囲内にドレンパン（60）を容易に位置付けることができる。
【００６６】
〈ドレンパンの状態の確認作業〉
本実施形態では、上述したドレンパン（60）の状態を、撮像システム（S）により適宜確認することができる。
【００６７】
具体的には、上述した点検蓋（51）の取り付け状態では、カメラ（70）のレンズ（71）がドレンパン（60）の内部を指向している。この状態において、サービス業者等が通信端末（80）を操作し、アプリケーションソフト上で撮像のコマンドを入力する。これにより、通信端末（80）からカメラ（70）へ撮像指令が出力される。カメラ（70）の無線通信部（77）に、この撮像指令が入力されると、撮像制御部（74）により、カメラ（70）の撮像が実行される。この撮像の際には、光源（72）が動作することで、ドレンパン（60）の内部が照らされる。このような撮像により、サービス業者等が要求するタイミングで、ドレンパン（60）の内部の画像データを取得することができる。
【００６８】
このようにしてカメラ（70）に記憶された画像データは、ＩＤ情報とともに通信端末（80）へ出力される。従って、サービス業者等は、この画像データを表示部（82）により確認でき、ドレンパン（60）の状態を適宜把握することができる。具体的に、サービス業者等は、この画像データを確認することで、ドレンパン（60）内の凝縮水の腐敗、カビ、汚れ等の度合いや、ドレンパン（60）内の水位の確認、ドレン配管（67）の詰まりの有無、ドレンポンプ（66）の故障の有無などを把握することができる。
【００６９】
−実施形態１の効果−
上記実施形態１によれば、カメラ（70）によりドレンパン（60）の内部の画像データを適宜取得できるため、サービス業者等は、天井裏の空間に入り込むことなく、ドレンパン（60）の内部の状態を把握できる。ここで、カメラ（70）で取得した画像データは、無線により、ケーシング（20）の外部の通信端末（80）へ伝送される。このため、伝送線等を設けずとも、カメラ（70）から比較的離れた通信端末（80）に対して、容易に画像データを送ることができる。
【００７０】
図３に示すように、カメラ（70）は、構成部品であるヘッダ集合管（47）に取付部（52）を介して取り付けられる。取付部（52）は、一対の挟持部材（53）によりヘッダ集合管（47）に簡単に取り付け／取り外しができる。このため、ケーシング（20）の内部において、カメラ（70）の取り付け作業を容易に行うことができる。また、ヘッダ集合管（47）は、カメラ（70）の支持部材として機能するため、部品点数を削減できる。
【００７１】
本実施形態では、構成部品であるヘッダ集合管（47）が点検口（50）の近傍に配置されるため、ケーシング（20）の外部からカメラ（70）の取り付け作業を行うことができる。
【００７２】
カメラ（70）は、調整機構（100）により撮像方向の角度を任意に調整できる。このため、撮像対象であるドレンパン（60）をカメラ（70）の撮像範囲に容易に位置付けることができる。
【００７３】
《実施形態２》
実施形態２に係る空気調和装置（10）は、上記実施形態１と基本的な構成が異なる。実施形態２の空気調和装置（10）は、室外空気（OA）を取り込み、この空気の温度及び湿度を調節する。そして、空気調和装置（10）は、このように処理した空気を供給空気（SA）として室内へ供給する。つまり、空気調和装置（10）は、外気処理方式である。また、空気調和装置（10）は、例えば冬場等において、空気を加湿するための加湿エレメント（45）を備えている。
【００７４】
空気調和装置（10）は、例えば天井裏の空間に設置される。また、空気調和装置（10）は、実施形態１と同様にして、室外ユニット（図示省略）と、室内ユニット（11）とを有し、これらが冷媒配管で接続されることで、冷媒回路が構成される。
【００７５】
〈室内ユニット〉
図７及び図８に示すように、室内ユニット（11）は、天井裏に設置されるケーシング（20）と、給気ファン（40a）と、排気ファン（40b）と、室内熱交換器（43）と、全熱交換器（44）と、加湿エレメント（45）とを備えている。また、ケーシング（20）の内部には、室内熱交換器（43）で発生した凝縮水を回収するドレンパン（60）と、ドレンパン（60）に溜まった水を排出するための排水口とが設けられる。
【００７６】
〈ケーシング〉
ケーシング（20）は、直方体の中空箱形に形成されている。実施形態２のケーシング（20）は、実施形態１と同様、天板（21）、底板（22）、前面パネル（23）、後面パネル（24）、第１側面パネル（25）、及び第２側面パネル（26）を備えている。
【００７７】
前面パネル（23）は、メンテナンス用空間（15）に面している。前面パネル（23）側には、電装品箱（16）、点検口（50）、及び点検蓋（51）が設けられる（詳細は後述する）。第１側面パネル（25）には、内気口（34）及び給気口（35）が形成される。内気口（34）には、内気ダクト（図示省略）が接続される。内気ダクトの流入端は、室内空間に繋がっている。給気口（35）には、給気ダクト（図示省略）が接続される。給気ダクトの流出端は、室内空間に繋がっている。第２側面パネル（26）には、排気口（36）及び外気口（37）が形成される。排気口（36）には、排気ダクト（図示省略）が接続される。排気ダクトの流出端は、室外空間に繋がっている。外気口（37）には、外気ダクト（図示省略）が接続される。外気ダクトの流入端は、室外空間に繋がっている。
【００７８】
ケーシング（20）の内部には、給気流路（33A）と、排気流路（33B）とが形成される。給気流路（33A）は、外気口（37）から給気口（35）に亘るまでの流路である。排気流路（33B）は、内気口（34）から排気口（36）に亘るまでの流路である。
【００７９】
〈全熱交換器〉
全熱交換器（44）は、横長の四角柱状に形成される。全熱交換器（44）は、例えば２種類のシートが水平方向に交互に積み重なって構成される。２種類のシートのうちの一方には、給気流路（33A）に連通する第１通路（44a）が形成される。２種類のシートのうちの他方のシートには、排気流路（33B）に連通する第２通路（44b）が形成される。各シートは、伝熱性及び吸湿性を有する材料で構成される。このため、全熱交換器（44）では、第１通路（44a）を流れる空気と、第２通路（44b）を流れる空気との間で潜熱及び顕熱の交換が行われる。
【００８０】
〈給気ファン〉
給気ファン（40a）は、給気流路（33A）に配置され、給気流路（33A）の空気を搬送する。より詳細には、給気ファン（40a）は、給気流路（33A）において、全熱交換器（44）の第１通路（44a）と室内熱交換器（43）との間に配置される。
【００８１】
〈排気ファン〉
排気ファン（40b）は、排気流路（33B）に配置され、排気流路（33B）の空気を搬送する。より詳細には、排気ファン（40b）は、排気流路（33B）において、全熱交換器（44）の第２通路（44b）の下流側に配置される。
【００８２】
〈室内熱交換器〉
室内熱交換器（43）は、給気流路（33A）における前面パネル（23）寄りに配置される。室内熱交換器（43）は、例えばフィンアンドチューブ式の熱交換器で構成される。
【００８３】
〈加湿エレメント〉
加湿エレメント（45）は、給気流路（33A）における前面パネル（23）寄りに配置される。加湿エレメント（45）は、給気流路（33A）における室内熱交換器（43）の下流側に配置される。加湿エレメント（45）は、上下に延びる複数の吸湿材料が水平方向に配列されて構成される。これらの吸湿材料には、給水タンク（48）からの水が供給される。加湿エレメント（45）では、吸湿材料の周囲を流れる空気中に、蒸発した空気が付与される。これにより、給気流路（33A）を流れる空気が加湿される。
【００８４】
給水タンク（48）は、加湿エレメント（45）に沿うように前後に延びる角型の容器で構成される。給水タンク（48）には、該給水タンク（48）に加湿水を供給するための水配管（49）が接続される（図７を参照）。水配管（49）は、加湿エレメント（45）及び給水タンク（48）に沿うように前後方向に延びている。水配管（49）は、カメラ（70）の取付部（52）が取り付けられる配管（構成部品）である。
【００８５】
〈ドレンパン〉
図８に模式的に示すように、ドレンパン（60）は、室内熱交換器（43）の下側に設置され、室内熱交換器（43）で発生した凝縮水を回収する。また、実施形態２のドレンパン（60）は、加湿エレメント（45）の下側に配置される。このため、ドレンパン（60）は、加湿エレメント（45）から流出した水（加湿水）も回収可能となっている。
【００８６】
〈電装品箱〉
図７及び図９に示すように、電装品箱（16）は、前面パネル（23）の前面、且つ略中央部に設けられる。電装品箱（16）の内部には、実施形態１と同様の電装品が収容される。
【００８７】
〈点検口及び点検蓋〉
図７に示すように、点検口（50）は、前面パネル（23）のうち室内熱交換器（43）及び加湿エレメント（45）の近傍に配置される。点検口（50）は、ドレンパン（60）及び加湿エレメント（45）に対応する位置に形成される。点検口（50）から点検蓋（51）を取り外すことで、メンテナンス用空間（15）側から、ドレンパン（60）の内部や加湿エレメント（45）を点検することができる。点検蓋（51）は、複数の締結部材を介してケーシング本体（20a）に取り付けられる。
【００８８】
〈カメラの取付位置〉
図７に示すように、本実施形態のカメラ（70）は、上記実施形態１と同様の取付部（52）を介して、例えば構成部品である水配管（49）に接続される。つまり、取付部（52）の一対の挟持部材（53）により水配管（49）が挟み込まれる。この際、カメラ（70）がドレンパン（60）の内部を向くように、カメラ（70）の取り付け位置が調整される。更に、調整機構（100）により、カメラ（70）の撮像方向の微調整が行われる。この結果、カメラ（70）の撮像範囲内にドレンパン（60）を容易に位置付けることができる。
【００８９】
撮像システム（S）の基本構成は、実施形態１（図６を参照）と同じである。
【００９０】
−運転動作−
実施形態２に係る空気調和装置（10）の運転動作について図７及び図８を参照しながら説明する。空気調和装置（10）は、冷房運転と暖房運転とを実行可能に構成される。
【００９１】
上記実施形態１と同様、冷房運転では、室内熱交換器（43）が蒸発器となり、暖房運転では、室内熱交換器（43）が凝縮器（放熱器）となる。また、暖房運転では、空気を加湿するために加湿エレメント（45）が作動する。また、冷房運転及び暖房運転では、給気ファン（40a）及び排気ファン（40b）が作動すると、室外空気（OA）が外気口（37）から給気流路（33A）に取り込まれると同時に、室内空気（RA）が内気口（34）から排気流路（33B）に取り込まれる。これにより、室内空間の換気が行われる。
【００９２】
冷房運転において、給気流路（33A）に取り込まれた室外空気（OA）は、全熱交換器（44）の第１通路（44a）を流れる。一方、排気流路（33B）に取り込まれた室内空気（RA）は、全熱交換器（44）の第２通路（44b）を流れる。例えば夏季においては、室外空気（OA）は、室内空気（RA）よりも温度及び湿度が高い。このため、全熱交換器（44）では、室外空気（OA）の潜熱及び顕熱が、室内空気（RA）へ付与される。この結果、第１通路（44a）では、空気の冷却及び除湿が行われる。第２通路（44b）において、潜熱及び顕熱が付与された空気は、排気口（36）を通過し、排出空気（EA）として室外空間へ排出される。
【００９３】
第１通路（44a）で冷却及び除湿された空気は、室内熱交換器（43）で冷却された後、停止状態の加湿エレメント（45）を通過する。その後、この空気は、給気口（35）を通過し、供給空気（SA）として室内空間へ供給される。
【００９４】
暖房運転において、給気流路（33A）に取り込まれた室外空気（OA）は、全熱交換器（44）の第１通路（44a）を流れる。一方、排気流路（33B）に取り込まれた室内空気（RA）は、全熱交換器（44）の第２通路（44b）を流れる。例えば冬季においては、室外空気（OA）は、室内空気（RA）よりも温度及び湿度が低い。このため、全熱交換器（44）では、室内空気（RA）の潜熱及び顕熱が、室外空気（OA）へ付与される。この結果、第１通路（44a）では、空気の加熱及び加湿が行われる。第２通路（44b）において、潜熱及び顕熱が奪われた空気は、排気口（36）を通過し、排出空気（EA）として室外空間へ排出される。
【００９５】
第１通路（44a）で加熱及び加湿された空気は、室内熱交換器（43）で加熱された後、加湿エレメント（45）を通過する。加湿エレメント（45）では、吸湿材料で気化した水分が空気に付与され、この空気が更に加湿される。加湿エレメント（45）を通過した空気は、給気口（35）を通過し、供給空気（SA）として室内空間へ供給される。
【００９６】
〈ドレンパン及び加湿エレメントの状態の確認作業〉
実施形態２においても、実施形態１と同様にして、ドレンパン（60）の状態を確認できる。つまり、通信端末（80）からの撮像指令がカメラ（70）の無線通信部（77）に入力されると、カメラ（70）が撮像を実行する。これにより、例えば夏季において、ドレンパン（60）の内部の画像データを取得でき、ドレンパン（60）の状態を把握することができる。
【００９７】
また、暖房運転に伴い加湿エレメント（45）が作動すると、吸湿材料の表面にスケールやカビ等が発生する可能性がある。実施形態２では、カメラ（70）により加湿エレメント（45）の画像データも取得できるため、このような加湿エレメント（45）の状態を簡便に把握することができる。
【００９８】
それ以外の作用効果は、上記実施形態１と同様である。
【００９９】
《取付部の変形例》
図１０に示す変形例は、上記実施形態と取付部（52）の構成が異なる。具体的に、取付部（52）は、断面コの字状の取付部材（54）と、該取付部材（54）に締結される締結部材（55）（例えばボルトナット）とを有する。取付部材（54）は、ロッド（111）が連結される基板（54a）と、該基板（54a）の幅方向の両端からロッド（111）と逆側に延出する一対の挟持板（54b）とを有する。基板（54a）及び挟持板（54b）は、弾性を有する金属材料あるいは樹脂材料で構成される。挟持板（54b）は、構成部品を挟むように対向する一対の挟持部材を構成する。締結部材（55）は、一対の支持板（73）の間隔を狭めるように該挟持板（54b）を押し付ける押付部材を構成している。図１０の例の取付部（52）は、２本の締結部材（55）を有するが、１本、又は３本以上であってもよい。
【０１００】
変形例の取付部（52）では、取付部材（54）の内部に所定の構成部品を位置付けた状態で、締結部材（55）を締結する。これにより、取付部材（54）の内部に構成部品が保持され、カメラ（70）が構成部品に支持される。
【０１０１】
《撮像システムの変形例》
各実施形態（詳細は後述する実施形態３も含む）に係る空気調和装置（10）においては、以下に挙げる変形例に係る撮像システム（S）を採用してもよい。
【０１０２】
〈変形例１〉
図１１に示す変形例１の撮像システム（S）は、カメラ（70）と別体の通信ユニット（90）を備えている。通信ユニット（90）は、ケーシング（20）の外部に配置され、伝送線（91）を介してカメラ（70）と接続される。伝送線（91）は、例えば点検蓋（51）に形成した配線用の貫通穴に挿通される。伝送線（91）は、カメラ（70）側の第１送受信部（78）と、通信ユニット（90）側の第２送受信部（92）とに接続される。これにより、カメラ（70）と通信ユニット（90）との間で画像データや信号の授受が可能となっている。
【０１０３】
上記実施形態１や２では、記憶部（75）、ＩＤ付与部（76）、及び無線通信部（77）がカメラ（70）に設けられる。これに対し、変形例１では、記憶部（75）、ＩＤ付与部（76）、及び無線通信部（77）が通信ユニット（90）に設けられる。通信端末（80）は、無線により、通信ユニット（90）の無線通信部（77）と接続される。
【０１０４】
変形例１では、通信端末（80）からの撮像指令が、無線により通信ユニット（90）に送られる。この撮像指令は、伝送線（91）を経由してカメラ（70）側に入力される。この結果、カメラ（70）の撮像が実行される。
【０１０５】
カメラ（70）で取得した画像データは、伝送線（91）を介して通信ユニット（90）へ入力され、記憶部（75）に適宜記憶される。この際、ＩＤ付与部（76）は、画像データに対応するＩＤ情報を、該画像データに関連付ける。ＩＤ情報が付与された画像データは、無線により、通信端末（80）へ適宜送信される。
【０１０６】
変形例１では、通信端末（80）と無線によりデータの授受を行う通信ユニット（90）がケーシング（20）の外部に設けられる。このため、通信端末（80）と通信ユニット（90）との間の電波が干渉しにくくなり、データの伝送が安定する。
【０１０７】
〈変形例２〉
図１２に示す変形例２の撮像システム（S）では、通信ユニット（90）及び通信端末（80）がネットワーク（N）を介してクラウドサーバ（95）に接続される。例えば通信ユニット（90）側の画像データは、ネットワーク（N）を経由してクラウドサーバ（95）に送られ、該クラウドサーバ（95）に記憶されていく。通信端末（80）は、クラウドサーバ（95）から画像データを取得することができる。
【０１０８】
〈変形例３〉
図１３に示す変形例３の撮像システム（S）は、空気調和装置（10）の各機器の動作に連動してカメラ（70）を制御するように構成される。この点について詳細に説明する。
【０１０９】
変形例３では、電装品箱（16）に空調制御部（19）が設けられる。空調制御部（19）は、上述した冷房運転や暖房運転において、ファン（40）、ドレンポンプ（66）、冷媒回路の各構成機器等を適宜制御するように構成される。
【０１１０】
一方、変形例３のカメラ（70）には、入力部（79）が設けられる。入力部（79）には、空調制御部（19）からの運転指令に相当する信号（X）が入力される。撮像制御部（74）は、入力部（79）に信号（X）が入力されることに同期してカメラ（70）の撮像を実行させる。
【０１１１】
まず、変形例３の撮像システム（S）のカメラ（70）の撮像のタイミングについて、図１４のタイミングチャートを参照しながら説明する。ここでは、実施形態１に係る空気調和装置（10）を対象とする。本例のカメラ（70）の撮像は、ファン（40）の運転の開始前で且つ室内熱交換器（43）の冷却動作の開始前に実行される。
【０１１２】
ここで、室内熱交換器（43）の冷却動作とは、蒸発器となる室内熱交換器（43）を流れる冷媒によって空気を冷却する動作である。従って、室内熱交換器（43）の停止状態とは、室内熱交換器（43）を実質的に冷媒が流れず、空気が冷却されない状態を意味する。空気調和装置（10）では、例えば圧縮機が停止する、あるいは室内熱交換器（43）の冷媒の流通が制限されることで、室内熱交換器（43）が停止状態となる。
【０１１３】
図１４に示すように、空調制御部（19）に冷房運転の開始指令が時点ｔ１に入力されると、空調制御部（19）は、この時点ｔ１よりもΔＴａ後の時点ｔ２に、ファン（40）を運転させる制御と、室内熱交換器（43）の冷却動作を開始させる制御とを行う。これにより、時点ｔ２から冷房運転が開始される。
【０１１４】
一方、空調制御部（19）は、冷房運転の開始指令が入力される時点ｔ１と同時に、カメラ（70）の撮像を実行させるための信号（X）をカメラ（70）へ出力する。カメラ（70）の入力部（79）にこの信号（X）が入力されると、撮像制御部（74）は、カメラ（70）の撮像を実行させる。これにより、カメラ（70）は、冷房運転の開始指令とほぼ同じタイミングでドレンパン（60）の画像データを取得することになる。以上により、本実施形態では、ファン（40）の運転の開始直前、且つ室内熱交換器（43）の冷却動作の開始直前に、カメラ（70）の撮像が実行される。換言すると、冷房運転の開始直前にカメラ（70）の撮像が実行される。
【０１１５】
撮像の時点ｔ１では、ファン（40）及び室内熱交換器（43）が停止状態となる。このため、時点ｔ１では、空気調和装置（10）の全体の消費電力が小さくなる。従って、電源部（18）からカメラ（70）へ送られる供給電力を十分に確保できる。
【０１１６】
ファン（40）が運転状態であると、ドレンパン（60）の空気流れ、及び振動の影響により、ドレンパン（60）の内部の凝縮水の水面が不安定となる。これに対し、本実施形態では、時点ｔ１において、ファン（40）が停止状態であるため、ドレンパン（60）の内部の凝縮水の水面も安定する。従って、凝縮水の水面が不安定となることに起因して、ドレンパン（60）の画像データが不鮮明となってしまうことを回避できる。
【０１１７】
室内熱交換器（43）が冷却動作を行う状態では、室内熱交換器（43）で冷却された空気中から凝縮水が発生し易い。このため、ドレンパン（60）内の水面が上昇し易い。これに対し、本例では、時点ｔ１において、室内熱交換器（43）が停止状態である。このため、室内熱交換器（43）の冷却動作に起因してドレンパン（60）内の水面が上昇することもない。従って、凝縮水の水面が上昇することに起因して、ドレンパン（60）の画像データが不鮮明となってしまうことを回避できる。
【０１１８】
前回の冷房運転から次の冷房運転までの間の期間（つまり、空気調和装置（10）の停止期間）では、ドレンパン（60）内に溜まった凝縮水の腐敗や、カビの発生が徐々に進行していく。従って、冷房運転の開始直前には、このような凝縮水の腐敗や、カビの発生の度合いが顕著になり易い。本実施形態では、次の冷房運転の開始直前である時点ｔ１において、ドレンパン（60）を撮像する。このため、画像データにおける凝縮水の腐敗やカビの発生が顕著となり、ドレンパン（60）の汚れの度合いをより明確に把握できる。
【０１１９】
〈撮像の動作のタイミングの他の制御例〉
上記実施形態においては、以下のようなタイミングでドレンパン（60）を撮像してもよい。なお、上記の例や、以下に説明する例の各タイミングを組み合わせることもできる。
【０１２０】
−制御例１−
制御例１では、カメラ（70）の撮像が、ファン（40）の運転の停止後で且つ室内熱交換器（43）の冷却動作の停止後に実行される。
【０１２１】
図１５に示すように、空調制御部（19）に冷房運転の停止指令が時点ｔ３に入力されると、空調制御部（19）は、ファン（40）を停止させる制御と、室内熱交換器（43）の冷却動作を停止させる制御とを行う。これにより、時点ｔ３から冷房運転が停止される。
【０１２２】
一方、空調制御部（19）は、この時点ｔ３よりもΔＴｂ後の時点ｔ４にカメラ（70）の撮像を実行させるための信号（X）をカメラ（70）へ出力する。カメラ（70）の入力部（79）にこの信号（X）が入力されると、撮像制御部（74）は、カメラ（70）の撮像を実行させる。これにより、カメラ（70）は、冷房運転の終了よりやや遅れたタイミングでドレンパン（60）の画像データを取得することになる。以上により、本実施形態では、ファン（40）の運転の終了直後、且つ室内熱交換器（43）の冷却動作の終了直後に、カメラ（70）の撮像が実行される。換言すると、冷房運転の停止直後にカメラ（70）の撮像が実行される。
【０１２３】
他の制御例１に係る撮像の時点ｔ４では、ファン（40）及び室内熱交換器（43）が停止状態となる。このため、上記実施形態と同様、空気調和装置（10）の全体の消費電力が小さくなる。従って、電源部（18）からカメラ（70）へ送られる供給電力を十分に確保できる。また、ファン（40）や室内熱交換器（43）が停止状態となることで、撮像時おけるドレンパン（60）の水面も安定する。
【０１２４】
時点ｔ４の直前までは、室内熱交換器（43）が冷却動作を行っており、空気中から凝縮水が発生する可能性が高い。このため、時点ｔ４においては、基本的には、ドレンパン（60）の内部に凝縮水が溜まっている。従って、時点ｔ４において、ドレンパン（60）の画像データを取得することで、ドレンパン（60）の内部の凝縮水の状態を確認することができる。
【０１２５】
−制御例２−
制御例２では、カメラ（70）の撮像が、ドレンポンプ（66）の運転の停止後に実行される。ここで、ドレンポンプ（66）は、例えば冷房運転の開始と同時に運転され、冷房運転の停止直後に停止される。あるいは、ドレンポンプ（66）は、タイマー等により間欠的に運転されるものであってもよし、ドレンパン（60）の水位が所定レベルを越えると実行されるものであってもよい。
【０１２６】
図１６に示すように、例えば時点ｔ５においてドレンポンプ（66）を停止させる指令があると、空調制御部（19）は、ドレンポンプ（66）を時点ｔ５において停止させる制御を行う。この場合、空調制御部（19）は、時点ｔ５からΔＴｃ後の時点ｔ６において、信号（X）をカメラ（70）の入力部（79）に出力する。これにより、ドレンポンプ（66）の停止直後の時点ｔ６において、カメラ（70）の撮像が実行される。
【０１２７】
他の制御例２に係る撮像の時点ｔ６では、ドレンポンプ（66）が停止状態となる。このため、上記実施形態と同様、空気調和装置（10）の全体の消費電力が小さくなる。従って、電源部（18）からカメラ（70）へ送られる供給電力を十分に確保できる。
【０１２８】
ドレンポンプ（66）が運転状態であると、ドレンポンプ（66）が凝縮水を吸入することや、該ドレンポンプ（66）の振動に起因して、ドレンパン（60）の内部の凝縮水の水面が不安定となる。これに対し、時点ｔ６では、ドレンポンプ（66）が停止状態であり、ドレンパン（60）の内部の凝縮水の水面も安定する。従って、凝縮水の水面が不安定となることに起因して、取得したデータの画像が不鮮明となってしまうことを回避できる。
【０１２９】
ドレンポンプ（66）の運転の停止直前までは、ドレンパン（60）の内部の凝縮水が排水される。従って、ドレンポンプ（66）の運転の停止直後は、通常であれば、ドレンパン（60）の内部に凝縮水がさほど溜まっていないはずである。それにも拘わらず、ドレンパン（60）の内部に比較的多くの凝縮水が存在する場合、ドレンポンプ（66）が故障していたり、排水用の配管が詰まっていたりする不具合が想定できる。従って、時点ｔ６においてドレンパン（60）の内部を撮像することで、凝縮水の排水構造に係る上記のような不具合を発見できる。
【０１３０】
−制御例３−
制御例３では、カメラ（70）の撮像が、ドレンポンプ（66）の運転の開始前に実行される。図１７に示すように、例えば時点ｔ７においてドレンポンプ（66）を運転させる指令があると、空調制御部（19）は、ドレンポンプ（66）を時点ｔ７からΔＴｄ後の時点ｔ８において、ドレンポンプ（66）を運転させる制御を行う。一方、空調制御部（19）は、時点ｔ７において、信号（X）をカメラ（70）の入力部（79）に出力する。これにより、ドレンポンプ（66）の運転直前の時点ｔ７において、カメラ（70）の撮像が実行される。
【０１３１】
他の制御例３に係る撮像の時点ｔ７では、ドレンポンプ（66）が停止状態となる。このため、上記実施形態と同様、空気調和装置（10）の全体の消費電力が小さくなる。従って、電源部（18）からカメラ（70）へ送られる供給電力を十分に確保できる。また、ドレンパン（60）の凝縮水の水面も安定する。
【０１３２】
ドレンポンプ（66）の運転の開始前までは、ドレンパン（60）の内部に凝縮水が溜まっていく。従って、時点ｔ７においてカメラ（70）の撮像を実行させることで、ドレンパン（60）の内部の凝縮水の状態を把握し易くなる。
【０１３３】
−制御例４−
制御例４は、上述した実施形態２の暖房運転に適用される。実施形態２のカメラ（70）の撮像は、ファン（給気ファン（40a）及び排気ファン（40b））の運転の開始前、且つ室内熱交換器（43）の加熱動作の開始前、且つ加湿エレメント（45）の運転の開始前に実行される。
【０１３４】
図１８に示すように、空調制御部（19）に暖房運転の開始指令が時点ｔ９に入力されると、空調制御部（19）は、この時点ｔ９よりもΔＴｅ後の時点ｔ１０に、給気ファン（40a）及び排気ファン（40b）を運転させる制御と、室内熱交換器（43）の加熱動作を開始させる制御と、加湿エレメント（45）を運転させる制御とを行う。これにより、時点ｔ１０から暖房運転が開始される。
【０１３５】
一方、空調制御部（19）は、暖房運転の開始指令が入力される時点ｔ９と同時に、カメラ（70）の撮像を実行させるための信号（X）をカメラ（70）へ出力する。カメラ（70）の入力部（79）にこの信号（X）が入力されると、撮像制御部（74）は、カメラ（70）の撮像を実行させる。これにより、カメラ（70）は、暖房運転の開始指令とほぼ同じタイミングでドレンパン（60）及び加湿エレメント（45）の画像データを取得することになる。
【０１３６】
時点ｔ９では、給気ファン（40a）、排気ファン（40b）、室内熱交換器（43）、及び加湿エレメント（45）が停止状態となる。このため、時点ｔ９では、空気調和装置（10）の全体の消費電力が小さくなる。従って、電源部（18）からカメラ（70）へ送られる供給電力を十分に確保できる。また、時点ｔ９では、ドレンパン（60）の内部の加湿水の水面も安定する。
【０１３７】
前回の暖房運転から次の暖房運転までの間の期間（つまり、空気調和装置（10）の停止期間）では、加湿エレメント（45）の吸湿部材において、スケールやカビの発生が進行していく。従って、暖房運転の開始直前には、このようスケールやカビの発生の度合いが顕著になり易い。実施形態２では、次の暖房運転の開始直前である時点ｔ９において、加湿エレメント（45）を撮像する。このため、加湿エレメント（45）の画像データにおけるスケールやカビの発生が顕著となり、加湿エレメント（45）の汚れの度合いをより明確に把握できる。
【０１３８】
〈変形例４〉
図１９に示す変形例４は、変形例３に係る撮像システム（S）のクラウドサーバ（95）に判定部（96）が設けられる。判定部（96）は、カメラ（70）で取得した画像データに基づき、撮像対象の状態を自動的に判定する。なお、判定部（96）を通信ユニット（90）やカメラ（70）や通信端末（80）に設けることもできる。また、変形例４では、上述した変形例３と同様、空気調和装置（10）の運転動作（停止動作も含む）に連動して画像データが取得される。
【０１３９】
空気調和装置（10）の運転に連動してカメラ（70）が撮像対象の内部の画像データを取得すると、この画像データは、通信ユニット（90）を経由してクラウドサーバ（95）に送られる。クラウドサーバ（95）の判定部（96）では、これらの画像データに基づき、撮像対象の状態を判定する。ここで、判定部（96）は、例えばＡＩ（人工知能）のディープラーニングを用いることで実現される。これにより、判定部（96）では、例えばドレンパン（60）や加湿エレメント（45）などの汚れの度合いを判定できる。また、判定部（96）は、将来における、ドレンパン（60）や加湿エレメント（45）の汚れの度合いを判定するものであってもよい。判定部（96）の判定結果は、例えば通信端末（80）に送信される。これにより、サービス業者等は、通信端末（80）を介して撮像対象の現在、又は将来の状態を把握できる。従って、このような情報に基づき、メンテナンスの予定を計画できる。
【０１４０】
判定部（96）で判定される画像データは、上述したように、空気調和装置（10）に連動した定期的なタイミングで取得される。このため、ＡＩに利用される画像データの誤差要因を取り除くことができ、判定精度を向上できる。特に上述した各機器の提示状態において、画像データを取得することで、空気の流れや振動に起因する画像データの誤差要因を確実に取り除くこができる。
【０１４１】
〈変形例５〉
変形例５は、カメラ（撮像装置（70））側の配線（内部配線（56））が第１コネクタ（56a）及び第２コネクタ（86a）を介して外部配線（86）と接続される。図２０に模式的に示すように、カメラ（70）には、内部配線（56）の一端が接続される。内部配線（56）は、ケーシング（20）に設けられた挿通穴（27）を介してケーシング（20）の外部まで配設される。本例では、挿通穴（27）が点検蓋（51）に形成される。ケーシング（20）には、該挿通穴（27）の内縁と内部配線（56）との間の隙間を塞ぐための蓋などの部材が設けられてもよい。
【０１４２】
本例のカメラ（70）の内部配線（56）の他端は、ケーシング（20）の外部に配置される。ケーシング（20）の他端には、第１コネクタ（56a）が設けられる。例えば外部配線（86）の一端は、電装品箱（16）の内部の電源部（18）に接続される。外部配線（86）は、電装品箱（16）の外部まで配設される。外部配線（86）の他端は、電装品箱（16）の外部に配置される。外部配線（86）の他端には、第２コネクタ（86a）が設けられる。
【０１４３】
変形例５では、第１コネクタ（56a）と第２コネクタ（86a）とがケーシング（20）の外部で連結される。これにより、カメラ（70）の内部配線（56）と外部配線（86）とが互いに接続され、カメラ（70）への給電が可能となる。なお、内部配線（56）及び外部配線（86）は、画像データや各種の信号の授受を行う伝送線であってもよいし、給電と伝送との双方が可能なケーブルであってよい。
【０１４４】
内部配線（56）及び外部配線（86）が伝送用に用いられる場合、例えば電装品箱（16）の内部に無線通信部（77）（例えば無線ＬＡＮアダプタ）を配置し、無線通信部（77）と外部配線（86）とを接続する。これにより、カメラ（70）と無線通信部（77）との間では、有線接続により、画像データや各種の信号の授受を行うことができる。上述したように、無線通信部（77）は、無線接続により、通信端末（80）との間で画像データや各種の信号の授受を行う。
【０１４５】
以上のように、変形例５では、カメラ（70）の内部配線（56）をケーシング（20）の外部まで配設するとともに、内部配線（56）の他端に第１コネクタ（56a）を設けている。このため、ケーシング（20）の内部にアクセスせずとも、内部配線（56）の接続及び取り外しを簡便に行うことができる。なお、内部配線（56）の第１コネクタ（56a）と、外部配線（86）の第２コネクタ（86a）とを電装品箱（16）の内部で連結してもよい。
【０１４６】
〈変形例６〉
ケーシング本体（20a）に点検蓋（51）（ケーシング部材）を装着すると、内部配線（56）の接点と、外部配線（86）の接点とが繋がる構成としてもよい。具体的には、例えば内部配線（56）の他端側と接続する第１接点部を点検蓋（51）の外縁部に設ける。点検口（50）の開口縁部に外部配線（86）の他端と接続する第２接点部を設ける。点検口（50）に点検蓋（51）を装着すると、点検蓋（51）側の第１接点部と、ケーシング本体（20a）側の第２接点部とが接触する。これにより、点検蓋（51）の装着に伴い、カメラ（70）側の内部配線（56）と外部配線（86）とを電気的に接続できる。従って、内部配線（56）と外部配線（86）とを接続する作業を省略できる。
【０１４７】
〈変形例７〉
変形例７の空気調和装置（10）は、カメラ（70）に向かって撮像対象の鏡像を形成する鏡（57）を備えている。図２１に模式的に示す例では、ドレンパン（60）が撮像対象となっている。本例では、カメラ（70）のレンズ（71）とドレンパン（60）との間に他の部品（C）が介在している。このため、この部品（C）がカメラ（70）の障害物となり、カメラ（70）は、ドレンパン（60）を直接的に撮像できない。これに対し、本例では、カメラ（70）の撮像方向における前方に鏡（57）が配置され、この鏡（57）にドレンパン（60）の鏡像が形成される。つまり、カメラ（70）、撮像対象、及び鏡（57）は、鏡（57）に形成されドレンパン（60）の鏡像が、カメラ（70）に向かって形成されるように、互いの相対位置が設定される。換言すると、カメラ（70）から鏡（57）に向かう光が鏡（57）によって反射する方向が、ドレンパン（60）を向いている。従って、カメラ（70）とドレンパン（60）との間に所定の部品（C）が介在していたとしても、カメラ（70）は、鏡（57）を介してドレンパン（60）を間接的に撮像できる。
【０１４８】
なお、鏡（57）は、ガラスの表面にアルミニウムや銀などの金属を蒸着した一般的な鏡であってもよいし、金属を磨いて鏡面を形成したいわゆる金属鏡であってもよい。
【０１４９】
〈変形例８〉
変形例８の空気調和装置（10）は、カメラ（70）の光源（72）の反射光の影響を軽減するように、カメラ（70）と反射部（R）との相対位置が設定される。図２２に模式的に示す例では、ドレンパン（60）が撮像対象となっている。カメラ（70）の撮像方向において、ドレンパン（60）の裏側には反射部（R）が位置している。反射部（R）は、例えばステンレス鋼板のような、光が反射し易い金属材料で構成される。本例では、カメラ（70）の撮像方向と、反射部（R）の反射面の垂線（p)とが成す角度（図２２のθａ）が所定角度に設定される。θａが１０°以下であると、撮像時において、カメラ（70）の光源（72）から発する光が反射部（R）に反射した際、反射光がカメラ（70）の撮像範囲に入ってしまい、画像データが不鮮明になる可能性がある。特に、カメラ（70）が自動露出調整などの光に応じた処理を行う場合、画像データが反射光の影響を強く受け、画像データが不鮮明になり易い。これに対し、θａを１０°より大きくすると、反射光がカメラ（70）の撮像範囲に入り込むことを抑制でき、上記の不具合を回避できる。θａは０°より大きく８０°より小さいことが好ましい。  
【０１５０】
《カメラの他の構成》
上記実施形態のカメラ（70）は、以下のような構成であってもよい。
【０１５１】
〈防振部材〉
カメラ（70）と、該カメラ（70）が取り付けられる構成部品（例えば点検蓋（51））との間には、防振部材を介設するのが好ましい。これにより、ケーシング（20）側の振動がカメラ（70）に伝播するのを抑制できる。この結果、カメラ（70）で取得した画像データが振動の影響により不鮮明となることを回避できる。
【０１５２】
〈防水構造〉
カメラ（70）は、その内部への浸水を抑制するための防水構造を有しているのが好ましい。例えばカメラ（70）の周囲を防水用の部材で覆う。これにより、ケーシング（20）内の水（例えば凝縮水、加湿水など）の影響により、カメラ（70）が故障してしまうことを回避できる。
【０１５３】
〈レンズの種類〉
カメラ（70）のレンズ（71）は、広角レンズ、又は魚眼レンズであることが好ましい。なお、ここでいう広角レンズは、一般的な広角レンズに対して、画角が更に広い、いわゆる超広角レンズも含む。魚眼レンズは、１８０°以上の画角を有し、好ましくは２２０°以上の画角を有する。広角レンズや魚眼レンズは、通常のレンズと比べて、画角が広いため、レンズ（71）と撮像対象との距離が比較的短くても撮像対象を広範囲に亘って撮像できる。
【０１５４】
〈自動処理〉
カメラ（70）は、各種の自動処理を行うための自動処理部を有しているのが好ましい。具体的には、自動処理部は、オートフォーカス機能、自動露出調整機能、及びホワイトバランス調整機能の少なくとも１つの機能を実行可能に構成される。
【０１５５】
〈光源〉
図２３に示すように、カメラ（70）は、撮像対象を照らすための光源（72）（フラッシュ）を有する。光源（72）は、カメラ（70）のレンズ（71）よりも撮像方向における後方に設けられる。光源（72）がレンズ（71）の前方に位置すると、カメラ（70）の撮像範囲の光源（72）が直接入ってしまい、光の影響に起因して画像データが不鮮明になってしまう可能性がある。これに対し、光源（72）をレンズ（71）よりも後方に設けることで、カメラ（70）の撮像範囲に光源（72）が直接入り込んでしまうことを回避できる。この結果、光源（72）の影響に起因して画像データが不鮮明になることを回避できる。
【０１５６】
光源（72）の光が強すぎると、レンズ（71）に入射する反射光も強くなり、いわゆるハレーションにより、画像データが不鮮明になる可能性がある。そこで、光源（72）の発光体を覆うガラスとして、磨りガラス（曇りガラス）等の半透明の材料を用いることもできる。
【０１５７】
《実施形態３》
実施形態３に係る空気調和装置（10）は、天井吊り式ないし天井埋め込み式の空気調和装置である。空気調和装置（10）は、室外ユニット（図示省略）と、室内ユニット（11）とを有し、これらが冷媒配管で接続されることで、冷媒回路が構成される。
【０１５８】
図２４に示すように、室内ユニット（11）は、天井裏に設置されるケーシング（20）を備えている。ケーシング（20）は、下側に開口面が形成される矩形箱状のケーシング本体（20a）と、該開放面を塞ぐように該ケーシング本体（20a）に着脱可能に設けられるパネル（130）（ケーシング部材）とを備える。パネル（130）は、矩形枠状のパネル本体（131）と、パネル本体（131）の中央に設けられる吸込グリル（132）とを備えている。
【０１５９】
パネル本体（131）の中央には１つの吸込口（31）が形成される。吸込グリル（132）は、吸込口（31）に取り付けられる。パネル本体（131）の４つの側縁部には、それぞれ吹出口（32）が１つずつ形成される。各吹出口（32）は、４つの側縁に沿うように延びている。各吹出口（32）の内部には、風向調節羽根（133）がそれぞれ設けられる。
【０１６０】
ケーシング本体（20a）の内部には、ベルマウス（134）と、室内ファン（40）と、室内熱交換器（43）と、ドレンパン（60）とが設けられる。ベルマウス（134）及び室内ファン（40）は、吸込グリル（132）の上方に配置される。室内熱交換器（43）は、室内ファン（40）の周囲を囲むように配置される。室内熱交換器（43）は、フィンアンドチューブ式の熱交換器で構成される。ドレンパン（60）は、室内熱交換器（43）の下側に配置される。
【０１６１】
図２４の例では、カメラ（70）が、取付部（52）を介して室内熱交換器（43）に取り付けられる。具体的には、取付部（52）は、構成部品である室内熱交換器（43）の伝熱管や管板に取り付けられる。取付部（52）は、室内熱交換器（43）に着脱可能に構成されるため、カメラ（70）の取り付け作業が簡便となる。
【０１６２】
《空気流れを考慮した撮像装置の配置》
撮像装置であるカメラ（70）は、ケーシング（20）の内部において、その周囲の空気の流速が比較的小さいのが好ましい。具体的に、空気調和装置（10）の吹出口（32）から吹き出される空気の平均流速をＶaとすると、カメラ（70）は、吹出空気の平均流速Ｖａの３０％以下の空気が流れる位置に配置される。カメラ（70）の周囲の空気の流速が大きすぎると、空気中の塵埃などがカメラ（70）のレンズ（71）の表面に付着し易くなり、レンズ（71）が汚れ易くなる。これに対し、カメラ（70）の周囲の空気の流速を、吹出空気の平均流速Ｖａの３０％以下とすると、このようなレンズ（71）の汚れを抑制できる。
【０１６３】
カメラ（70）のレンズ（71）は、風下側（空気流れの下流側）を向いているのが好ましい。このようにすると、空気中の塵埃等がレンズ（71）の表面に付着しにくくなるため、レンズ（71）の汚れを抑制できる。レンズ（71）を風下側に向ける構成とする場合、レンズ（71）の周囲の空気の流速は、３０％以下とするのがより好ましい。
【０１６４】
カメラ（70）のレンズ（71）は、風上側（空気流れの上流側）を向くように配置してもよい。この場合、カメラ（70）のレンズ（71）は、魚眼レンズ（球面状のレンズ）を用いるのが好ましい。
【０１６５】
《ドレンパンに係る他の変形例》
上述したようなハレーションを利用して、ドレンパン（60）の水位を検出することもできる。つまり、ドレンパン（60）の水位が所定値（例えば上限の水位）に達すると、ハレーションが生じるように、カメラ（70）及びドレンパン（60）の相対位置を設定する。これにより、ハレーションが生じた画像データに基づき、ドレンパン（60）の水位が所定高さに至ったことを判定できる。
【０１６６】
ドレンパン（60）の内部に浮きなどを設けたり、ドレンパン（60）の内壁に目盛りやマークを付したりしてもよい。こうすると、画像データにおけるドレンパン（60）の水位を判定し易くなる。
【０１６７】
ドレンパン（60）の内壁に、紫外線により発光する発光塗料を塗るとともに、ＵＶ（紫外線）ランプ等で、この発光塗料を照射するようにしてもよい。発光塗料が白く光る状態で、ドレンパン（60）を撮像すると、ドレンパン（60）の汚れやバイオフィルムが黒く際立つ。これにより、画像データ中において、ドレンパン（60）の汚れやバイオフィルムを確認し易くなる。
【０１６８】
カメラ（70）のレンズ（71）をドレンパン（60）内の所定の水位に合わせるようにカメラ（70）を配置してもよい。この場合、ドレンパン（60）の水位が所定高さになると、レンズ（71）が浸水し、この状態の画像データが取得される。この画像データに基づき、ドレンパン（60）の水位が所定高さに至ったことを判定できる。
【０１６９】
《撮像装置が設けられる構成部品の変形例》
撮像装置（70）が設けられる構成部品は、上述した冷媒配管（ヘッダ集合管（47）や水配管（49））に限られない。例えば構成部品は、配管を支持するための配管固体板、熱交換器の管板、熱交換器の押さえ板などの板状の部材であってもよい。構成部品は、ファン（40）のモータを支持するモータ台、水槽（例えば上述した給水タンク）、ダクトの接続口（吹出口、吸込口）などであってもよい。これらの構成部品は、メンテナンスの際などは通常、取り外しが行われない部品である。
【０１７０】
なお、構成部品として、メンテナンス時において、ケーシング本体（20a）から取り外されるような部品に取付部（52）を取り付け、カメラ（70）を支持させることもできる。このような部品としては、例えば点検蓋（51）、ドレンポンプ（66）、水配管に接続される弁（電磁弁）、冷媒配管に接続される弁（例えば電磁弁や膨張弁）、フロートスイッチなどが挙げられる。実施形態２であれば、加湿エレメント（45）、給水タンクの蓋などが挙げられる。実施形態３であれば、ケーシング（20）内に設置される電装品箱、パネル（130）（パネル本体（131）及び吸込グリル（132））などが挙げられる。
【０１７１】
《撮像対象の変形例》
撮像装置（70）の撮像対象は、ドレンパン（60）及び加湿エレメント（45）以外であってもよい。例えば撮像対象は、ドレンポンプ（66）、エアフィルタ、熱交換器（例えば室内熱交換器（43））、ファン（40）、排水口（ドレンパン（60）内の排水口も含む）、ドレンパン（60）内の水の表面（水位）であってもよい。
【０１７２】
上述したように、実施形態２のドレンパン（60）には、加湿エレメント（45）から流出した水（加湿水）が回収される。加湿エレメント（45）が正常に動作しない場合、ドレンパン（60）の排水口を余剰の加湿水が流れない状態となる。従って、ドレンパン（60）の排水口近傍の水の有無を画像データから判定することで、加湿エレメント（45）が正常に動作しているか否かを判定できる。
【０１７３】
《取付部の変形例》
上述した取付部（52）は、必ずしも構成部品（C）を挟み込む方式でなくてもよい。例えば取付部（52）は、例えば結束バンドや面ファスナーなど、構成部品（C）に着脱可能に巻き付けられる締付部材であってもよい。
【０１７４】
《その他の実施形態》
上述した全ての形態においては、以下のような構成としてもよい。
【０１７５】
撮像装置（70）は、カメラに限定されず、例えば光学センサ等であってもよい。
【０１７６】
撮像装置（70）の撮像制御部（74）は、必ずしもカメラ（70）側に設けられていなくてもよく、例えば図１１に示す通信ユニット（90）側に設けてもよい。また、カメラ（70）は、ＯＮされる（通電される）ことで撮像動作を開始するものであってもよい。この場合、撮像動作を開始させるタイミングでカメラ（70）に通電するように制御すればよい。
【０１７７】
撮像装置（70）は、天井裏に設置される室内ユニット（11）のケーシング（20）に適用されているが、床置き式、壁掛け式、天井吊り下げ式等の室内ユニットのケーシングに適用されてもよい。また、撮像装置（70）は、室外ユニットのケーシングに適用されてもよい。
【０１７８】
上述した冷房運転及び暖房運転で示した種々の撮像タイミングを、実施可能な範囲において、如何なるパターンで組み合わせてもよい。
【０１７９】
撮像装置（70）は、空気調和装置（10）以外の空気処理装置に適用されてもよい。他の空気処理装置としては、例えば空気の湿度を調節する調湿装置、室内の換気を行う換気装置、空気を浄化する空気浄化装置などが挙げられる。
【産業上の利用可能性】
【０１８０】
本発明は、空気処理装置について有用である。
【符号の説明】
【０１８１】
１０      空気調和装置（空気処理装置）
２０      ケーシング
２０ａ    ケーシング本体（本体）
４０      ファン（撮像対象）
４３      室内熱交換器（撮像対象）
４５      加湿エレメント（撮像対象）
５１ａ    内壁
５２      取付部
５３      挟持部材
５５      締結部材（押付部材）
５６      配線（内部配線）
５６ａ    第１コネクタ（コネクタ）
６０      ドレンパン（撮像対象）
６６      ドレンポンプ（撮像対象）
７０      カメラ（撮像装置）
７１      レンズ
７２      光源
７７      無線通信部
８０      受信部
８６      外部配線
９１      伝送線
【図１】
2019039657.tif 000003
【図２】
2019039657.tif 000004
【図３】
2019039657.tif 000005
【図４】
2019039657.tif 000006
【図５】
2019039657.tif 000007
【図６】
2019039657.tif 000008
【図７】
2019039657.tif 000009
【図８】
2019039657.tif 000010
【図９】
2019039657.tif 000011
【図１０】
2019039657.tif 000012
【図１１】
2019039657.tif 000013
【図１２】
2019039657.tif 000014
【図１３】
2019039657.tif 000015
【図１４】
2019039657.tif 000016
【図１５】
2019039657.tif 000017
【図１６】
2019039657.tif 000018
【図１７】
2019039657.tif 000019
【図１８】
2019039657.tif 000020
【図１９】
2019039657.tif 000021
【図２０】
2019039657.tif 000022
【図２１】
2019039657.tif 000023
【図２２】
2019039657.tif 000024
【図２３】
2019039657.tif 000025
【図２４】
2019039657.tif 000026
【手続補正書】
【提出日】平成31年1月16日(2019.1.16)
【手続補正１】
【補正対象書類名】明細書
【補正対象項目名】全文
【補正方法】変更
【補正の内容】
【発明の詳細な説明】
【技術分野】
【０００１】
本発明は、空気処理装置に関する。
【背景技術】
【０００２】
従来より、空気調和装置等の空気処理装置が広く知られている。特許文献１には、空気調和装置のケーシングの内部において、所定の撮像対象の画像データを取得する技術が開示されている。
【０００３】
特許文献１の空気調和装置では、室内ユニットのケーシングの内部にカメラ（撮像装置）が設置される。カメラは、撮像対象（例えばフィルタ）を撮像できる位置に設けられる。カメラで撮像された撮像対象の画像データは、ＬＡＮを介して集中監視装置に出力される。サービス業者等は、集中監視装置に伝送された画像データを確認することで、撮像対象の状態（例えばフィルタの目詰まり、破れ、設置状況等）を把握することができる。
【先行技術文献】
【特許文献】
【０００４】
【特許文献１】特開２００７−４６８６４号公報
【発明の概要】
【発明が解決しようとする課題】
【０００５】
上述した空気処理装置において、カメラによって撮像対象の画像データを撮像するためには、カメラをケーシングの内部の所定箇所に据え付ける必要がある。特許文献１では、このようなカメラの取り付けについて何ら考慮されていなかった。
【０００６】
本開示の目的は、ケーシングの内部に撮像装置を簡便に据え付けることができる空気処理装置を提案することである。
【課題を解決するための手段】
【０００７】
第１の態様は、ケーシング（20）と、
前記ケーシング（20）の内部に配置されるドレンパン（60）と、
前記ドレンパン（60）の内部の画像データを取得する撮像装置（70）とを備え、
前記ケーシング（20）の本体（20a）には、所定の構成部品（43,47,49）が設けられ、前記撮像装置（70）は、前記ドレンパン（60）の内部を撮像可能な位置となるように前記構成部品（43,47,49）に着脱可能に取り付けられる取付部（52）を有し、
前記撮像装置（70）で撮像した画像データを前記ケーシング（20）の外部に出力するように構成されることを特徴とする空気処理装置である。
【０００８】
第１の態様の撮像装置（70）は、取付部（52）を介して所定の構成部品（43,47,49）に取り付けられる。取付部（52）は、構成部品（43,47,49）に着脱可能に構成されるため、撮像装置（70）の取り付け作業を簡便に行うことができる。
【０００９】
第２の態様は、第１の態様において、
前記撮像装置（70）は、前記ドレンパン（60）の上方に位置するように前記構成部品（43,47,49）に支持されることを特徴とする空気処理装置である。
【００１０】
第３の態様は、第２の態様において、
前記ケーシング（20）の内部における前記ドレンパン（60）の上方に配置される熱交換器（43）を備え、前記撮像装置（70）は、前記構成部品としての前記熱交換器（43）に支持されることを特徴とする空気処理装置である。
【００１１】
第４の態様は、第３の態様において、
前記撮像装置（70）は、前記構成部品としての前記熱交換器（43）のヘッダ集合管（47）に支持されることを特徴とする空気処理装置である。
【００１２】
第５の態様は、第３又は第４の態様において、
前記撮像装置（70）は、前記熱交換器（43）と平面視において重ならない位置にあることを特徴とする空気処理装置である。
【００１３】
第６の態様は、第１乃至第５のいずれか１つの態様において、
前記ケーシング（20）には、点検口（50）が形成され、前記点検口（50）を開閉するように前記ケーシング（20）の本体（20a）に着脱可能に取り付けられる点検蓋（51）を備え、前記撮像装置（70）の取付部（52）は、前記構成部品（47）のうち前記点検口（50）を通じて前記ケーシング（20）の外部に露出される部分に取り付けられることを特徴とする空気処理装置である。
【００１４】
第７の発明は、第１乃至第６のいずれか１つの態様において、前記ドレンパン（60）内の水を汲み上げるドレンポンプ（66）を備え、前記撮像装置（70）の撮像方向が、前記ドレンポンプ（66）を向いていることを特徴とする空気処理装置である。
【００１５】
第８の態様は、第１乃至第７のいずれか１つの態様において、
前記取付部（52）は、
前記構成部品（47,49）を挟むように対向する一対の挟持部材（53）と、
前記一対の挟持部材（53）の間隔を狭めるように該挟持部材（53）を押し付ける押付部材（55）とを備えていることを特徴とする空気処理装置である。
【００１６】
第８の態様では、構成部品（47,49）を一対の挟持部材（53）に挟み込んだ状態で、これらの挟持部材（53）を押付部材（55）により押し付ける。この結果、撮像装置（70）を構成部品に簡便に取り付けることができる。
【００１７】
第９の態様は、第１乃至第８のいずれか１つの態様において、
前記撮像装置（70）で取得した画像データを無線により前記ケーシング（20）の外部へ伝送する無線通信部（77）を備えていることを特徴とする空気処理装置である。
【００１８】
第９の態様では、撮像装置（70）で取得した画像データが、無線通信部（77）によって、ケーシング（20）の外部へ伝送される。このため、画像データの伝送用の配線をケーシング（20）の内部から外部へ引き回す必要がなくなる。
【００１９】
第１０の態様は、第１乃至９の態様のいずれか１つにおいて、
前記撮像装置（70）で取得した画像データを有線によりケーシング（20）の外部へ伝送する伝送線（91）と、
前記ケーシング（20）の外部に配置されるとともに、前記伝送線（91）の出力データを無線により所定の受信部（80）へ伝送する無線通信部（77）とを備えていることを特徴とする空気処理装置である。
【００２０】
第１０の態様では、撮像装置（70）で取得した画像データが、伝送線（91）を介してケーシング（20）の外部へ送られる。そして、ケーシング（20）の外部の無線通信部（77）により、画像データが受信部（80）へ伝送される。ケーシング（20）の内部に無線通信部（77）を設けた場合、ケーシング（20）の内部から外部への画像データの伝送が、ケーシング（20）により阻害される可能性がある。これに対し、本発明では、画像データをケーシング（20）の外部へ有線により伝送した後、この画像データを無線により受信部（80）へ送るようにしている。このため、画像データを確実に受信部（80）へ送ることができる。
【００２１】
第１１の態様は、第１乃至１０の態様のいずれか１つにおいて、
一端が前記撮像装置（70）に接続するとともに、前記ケーシング（20）の外部まで配設される配線（56）を備え、
前記配線（56）の前記他端には、外部配線（86）が連結されるコネクタ（56a）が設けられることを特徴とする空気処理装置である。
【００２２】
第１１の態様では、撮像装置（70）に接続する配線（56）が、ケーシング（20）の外部に配設され、コネクタ（56a）を介して外部配線（86）と連結される。このため、撮像装置（70）の配線作業を簡便に行うことできる。
【００２３】
第１２の態様は、第１乃至１１の態様のいずれか１つにおいて、
前記撮像装置（70）は、広角式又は魚眼式のレンズ（71）を備えていることを特徴とする空気処理装置である。
【００２４】
第１２の態様の撮像装置（70）は、広角式又は魚眼式のレンズ（71）により、撮像対象（40,43,45,60,66）を撮像する。これにより、撮像装置（70）の画角ないし撮像範囲が広くなる。
【００２５】
第１３の態様は、第１乃至１２の態様のいずれか１つにおいて、
前記撮像装置（70）は、レンズ（71）と、該レンズ（71）よりも撮像方向における後方に位置する光源（72）とを備えていることを特徴とする空気処理装置である。
【００２６】
第１３の態様では、光源（72）がレンズ（71）の後方に位置するため、撮像装置（70）の撮像範囲に光源（72）が入り込むことを回避できる。
【００２７】
第１４の態様は、第１乃至１３の態様のいずれか１つにおいて、
前記構成部品は、配管（47,49）であることを特徴とする空気処理装置である。
【００２８】
第１４の態様では、構成部品としての配管（47,49）に取付部（52）が着脱可能に構成される。つまり、配管（47,49）が撮像装置（70）を支持する部品として機能する。
【００２９】
第１５の態様は、第１乃至１４の態様のいずれか１つにおいて、
ケーシング（20）から吹き出される吹出空気の平均流速をＶａとすると、
前記撮像装置（70）は、前記吹出空気の平均流速Ｖａの３０％以下の空気が流れる位置に配置されることを特徴とする空気処理装置である。
【００３０】
第１５の態様では、撮像装置（70）が配置される箇所の空気の流速が比較的小さいため、空気中の塵埃等が撮像装置（70）のレンズなどに付着して汚れるのを抑制できる。
【００３１】
第１６の態様は、第１乃至１５のいずれか１つの態様において、前記撮像装置（70）のレンズ（71）は、空気流れの下流側を向いていることを特徴とする。
【００３２】
第１６の態様では、撮像装置（70）のレンズ（71）が空気流れの下流側を向いているため、該レンズ（71）に空気中の塵埃等が付着して汚れるのを抑制できる。
【発明の効果】
【００３３】
本態様によれば、ケーシング（20）の本体（20a）に設けられる構成部品（47,49）に取付部（52）を介して撮像装置（70）を取り付け可能となるため、撮像装置（70）の据え付け作業を簡便に行うことができる。構成部品（43,47,49）は、撮像装置（70）を支持する部材として機能するため、部品点数を削減できる。
【図面の簡単な説明】
【００３４】
【図１】図１は、実施形態１に係る空気調和装置の内部構造を示す平面図である。
【図２】図２は、実施形態１に係る空気調和装置の正面図である。
【図３】図３は、実施形態１に係る空気調和装置の内部構造を示す縦断面図である。
【図４】図４は、実施形態１に係る空気調和装置の正面パネル側の概略構成を示す斜視図である。
【図５】図５は、実施形態１に係る撮像ユニットの構造を示す斜視図である。
【図６】図６は、実施形態１に係る撮像システムの概略構成を示すブロック図である。
【図７】図７は、実施形態２に係る空気調和装置の内部構造を示す平面図である。
【図８】図８は、実施形態２に係る空気調和装置の内部構造を示す断面図である。
【図９】図９は、変形例に係る撮像ユニットの構造を示す斜視図である。
【図１０】図１０は、実施形態２に係る撮像ユニットの構造を示す斜視図である。
【図１１】図１１は、変形例１に係る撮像システムの概略構成を示すブロック図である。
【図１２】図１２は、変形例２に係る撮像システムの概略構成を示すブロック図である。
【図１３】図１３は、変形例３に係る撮像システムの概略構成を示すブロック図である。
【図１４】図１４は、変形例３に係る各機器の動作のタイミングを示すタイムチャートである。
【図１５】図１５は、変形例３の他の制御例１に係る各機器の動作のタイミングを示すタイムチャートである。
【図１６】図１６は、変形例３の他の制御例２に係る各機器の動作のタイミングを示すタイムチャートである。
【図１７】図１７は、変形例３の他の制御例３に係る各機器の動作のタイミングを示すタイムチャートである。
【図１８】図１８は、変形例３の他の制御例４に係る各機器の動作のタイミングを示すタイムチャートである。
【図１９】図１９は、変形例４に係る撮像システムの概略構成を示すブロック図である。
【図２０】図２０は、変形例５に係る撮像装置の周囲を拡大した概略の平面図である。
【図２１】図２１は、変形例７に係る撮像装置の周囲を拡大した概略の平面図である。
【図２２】図２２は、変形例８に係る撮像装置の周囲を拡大した概略の平面図である。
【図２３】図２３は、カメラと光源の位置関係を示した斜視図である。
【図２４】図２４は、実施形態３に係る空気調和装置の縦断面図である。
【発明を実施するための形態】
【００３５】
以下、本開示の実施形態について図面を参照しながら説明する。なお、以下の実施形態は、本質的に好ましい例示であって、本発明、その適用物、あるいはその用途の範囲を制限することを意図するものではない。
【００３６】
《実施形態１》
実施形態１に係る空気処理装置は、空気調和装置（10）である。空気調和装置（10）は、空気の少なくとも温度を調節する。具体的に、空気調和装置（10）は、室内空気（RA）の温度を調節し、温度を調節した空気を供給空気（SA）として室内へ供給する。空気調和装置（10）は、天井裏の空間に設置される室内ユニット（11）を備えている。室内ユニット（11）は、冷媒配管を介して室外ユニット（図示省略）に接続される。これにより、空気調和装置（10）では、冷媒回路が構成される。冷媒回路では、充填された冷媒が循環することで蒸気圧縮式の冷凍サイクルが行われる。なお、室外ユニットには、冷媒回路に接続される圧縮機及び室外熱交換器と、室外熱交換器に対応する室外ファンが設けられる。
【００３７】
〈室内ユニット〉
図１〜図３に示すように、室内ユニット（11）は、天井裏に設置されるケーシング（20）と、ケーシング（20）に収容されるファン（40）及び室内熱交換器（43）を備えている。ケーシング（20）の内部には、該ケーシング（20）内の空気中から発生した凝縮水を回収するドレンパン（60）と、ドレンパン（60）に溜まった水を排出するためのドレンポンプ（66）とが設けられる。
【００３８】
〈ケーシング〉
ケーシング（20）は、直方体の中空箱形に形成されている。ケーシング（20）は、天板（21）、底板（22）、及び４つの側板（23,24,25,26）を有している。４つの側板は、前面パネル（23）、後面パネル（24）、第１側面パネル（25）、及び第２側面パネル（26）で構成される。前面パネル（23）及び後面パネル（24）は、互いに対向している。第１側面パネル（25）及び第２側面パネル（26）は互いに対向している。
【００３９】
前面パネル（23）は、メンテナンス用空間（15）に面している。前面パネル（23）側には、電装品箱（16）、点検口（50）、及び点検蓋（51）が設けられる。第１側面パネル（25）には、吸込口（31）が形成される。吸込口（31）には、吸込ダクト（図示省略）が接続される。吸込ダクトの流入端は、室内空間に繋がっている。第２側面パネル（26）には、吹出口（32）が形成される。吹出口（32）には、吹出ダクト（図示省略）が接続される。吹出ダクトの流出端は、室内空間に繋がっている。ケーシング（20）の内部には、吸込口（31）から吹出口（32）までの間に空気流路（33）が形成される。
【００４０】
〈ファン〉
ファン（40）は、空気流路（33）における第１側面パネル（25）寄りに配置される。ファン（40）は、空気流路（33）の空気を搬送する。本実施形態では、３台のシロッコ型ファン（41）が、１つのモータ（42）に駆動される（図１を参照）。
【００４１】
〈室内熱交換器〉
室内熱交換器（43）は、空気流路（33）における第２側面パネル（26）寄りに配置される。室内熱交換器（43）は、例えばフィンアンドチューブ式の熱交換器で構成される。本実施形態の室内熱交換器（43）は、斜め置きの配置となる。蒸発器となる室内熱交換器（43）は、空気を冷却する冷却部を構成する。
【００４２】
図３に示すように、室内熱交換器（43）の前側には、配管（厳密には冷媒配管）であるヘッダ集合管（47）が設けられる。ヘッダ集合管（47）は、室内熱交換器（43）の側縁に沿うように斜めに延びている。ヘッダ集合管（47）は、分岐管（図示省略）を介して室内熱交換器（43）の伝熱管に接続される。
【００４３】
〈ドレンパン〉
図３に模式的に示すように、ドレンパン（60）は、底板（22）に沿うように、室内熱交換器（43）の下側に配置される。ドレンパン（60）は、第１側壁（61）、第２側壁（62）、及び底部（63）を含んでいる。第１側壁（61）は、室内熱交換器（43）の上流側に位置する。第２側壁（62）は、室内熱交換器（43）の下流側に位置する。底部（63）は、第１側壁（61）と第２側壁（62）とに亘って形成される。底部（63）には、中央寄りに略台形状の断面を有する凹部（64）が形成される。ドレンパン（60）では、この凹部（64）の底面の高さが、最も低くなる。つまり、凹部（64）には、最も深い最深部が構成されている。
【００４４】
〈ドレンポンプ〉
ドレンポンプ（66）は、ドレンパン（60）の内部に配置される。具体的に、ドレンポンプ（66）の吸込部（66a）は、ドレンパン（60）の凹部（64）の内部に配置される。ドレンポンプ（66）の吐出部には、ドレン配管（67）の流入端が接続される。ドレン配管（67）は、ケーシング（20）の前面パネル（23）を水平方向に貫通している。ドレンポンプ（66）が運転されると、ドレンパン（60）に溜まった凝縮水が汲み上げられる。汲み上げられた水は、ドレン配管（67）を介してケーシング（20）の外部へ排出される。
【００４５】
〈電装品箱〉
図１に示すように、電装品箱（16）は、前面パネル（23）のファン（40）寄りに配置される。電装品箱（16）の内部には、電源回路や制御回路等が搭載されたプリント基板（17）、各回路に接続される配線、強電側電源部、弱電側電源部などが収容される。電装品箱（16）は、前側が開口する箱本体（16a）と、箱本体（16a）の開口面を開閉する電装品蓋（16b）とを含んでいる。電装品蓋（16b）は、前面パネル（23）の一部を構成している。電装品蓋（16b）を取り外すことで、電装品箱（16）の内部がメンテナンス用空間（15）に露出される。
【００４６】
〈点検口及び点検蓋〉
図１に示すように、点検口（50）は、前面パネル（23）の室内熱交換器（43）寄りに配置される。図２及び図４に示すように、点検口（50）は、長方形部分（50a）と、該長方形部分の下側の一方の角部と連続する三角形部分（50b）とで構成される。三角形部分（50b）は、長方形部分（50a）から第２側面パネル（26）側に突出している。点検口（50）は、ドレンパン（60）に対応する位置に形成される。点検口（50）から点検蓋（51）を取り外すことで、メンテナンス用空間（15）側からドレンパン（60）の内部を点検することができる。
【００４７】
点検蓋（51）は、点検口（50）と略相似形で、且つ点検口（50）よりもやや大きな形状をしている。点検蓋（51）の外縁部には、点検蓋（51）をケーシング本体（20a）に取り付けるための複数（本例では３つ）の締結穴が形成される。点検蓋（51）は、これらの締結穴に挿通される複数の締結部材（例えばボルト）によって、ケーシング本体（20a）に固定される。このような構成により、点検蓋（51）は、点検口（50）を開閉するようにケーシング本体（20a）に着脱可能に取り付けられる。
【００４８】
〈取付部及びカメラ〉
図５に示すように、撮像システム（S）は、撮像装置であるカメラ（70）、調整機構（100）、及び取付部（52）を含む撮像ユニットを備えている。本実施形態のカメラ（70）は、構成部品であるヘッダ集合管（47）に取付部（52）を介して取り付けられる（詳細は後述する）。
【００４９】
カメラ（70）は、撮像対象となるドレンパン（60）の画像データを撮像する撮像装置を構成している。カメラ（70）は、レンズ（71）と光源（フラッシュ）とを有している。レンズ（71）は、例えば超広角レンズで構成される。
【００５０】
調整機構（100）は、ボールジョイント（101）を備えている。ボールジョイント（101）は、取付部（52）側に固定される第１継手（110）と、カメラ（70）側に固定される第２継手（120）とを有する。
【００５１】
第１継手（110）は、ロッド（111）と、該ロッド（111）の先端に設けられるソケット（112）とを有する。ソケット（112）は、中空状の球体の一部が切除された形状であり、その内部に略球状の嵌合凹部（113）が形成される。嵌合凹部（113）の開口端の周縁部には、複数の切り欠き溝（114）（本例では４つ）が形成される。複数の切り欠き溝（114）は、等間隔置きに周方向に配列される。切り欠き溝（114）の数量はこれに限られず、この切り欠き溝（114）を省略することもできる。
【００５２】
第２継手（120）は、カメラ（70）に連結される回動軸（121）と、回動軸（121）の先端に設けられるボール（122）とを有する。ボール（122）は、ソケット（112）の嵌合凹部（113）に内嵌する。ボール（122）は、嵌合凹部（113）と球面接触するように該ソケット（112）に保持される。つまり、ボール（122）は、嵌合凹部（113）の内部で回転自在に構成される。回動軸（121）は、ボール（122）とともに傾動可能で、且つ回動軸（121）の軸心を中心として回転可能に構成される。更に、回動軸（121）は、ソケット（112）の各切り欠き溝（114）に係合可能である。回動軸（121）を切り欠き溝（114）に係合させることで、回動軸（121）の位置決めを行うことができる。
【００５３】
以上のような構成により、カメラ（70）は、ロッド（111）の軸心を中心として３６０°向きを変えることができ、且つロッド（111）の軸心に対する傾斜角度を変更可能に構成される。これにより、撮像対象の位置に応じて、カメラ（70）の撮像方向を任意に調整できる。
【００５４】
本例の取付部（52）は、クリップ式で構成される。取付部（52）は、一対の挟持部材（53）と、該一対の挟持部材（53）を内方へ付勢する弾性部材（例えばスプリング、図示省略）とを有する。各挟持部材（53）は、略矩形状の突板部（53a）と、該突板部（53a）の先端に支持される把持部（53b）とを有する。一対の突板部（53a）の基端側には、該突板部（53a）を互いに回動可能に支持する支持軸（図示省略）が設けられる。把持部（53b）は、外側に向かって膨出する略円弧状に形成される。一対の把持部（53b）は、互いに対向するように配置される。スプリングは、一対の挟持部材（53）の間に配置される。スプリングは、一対の挟持部材（53）の間隔を狭めるように該挟持部材（53）を押し付ける押付部材を構成する。
【００５５】
〈撮像システム〉
本実施形態に係る撮像システム（S）について、図６を参照しながら説明する。本実施形態に係る撮像システム（S）は、上述したカメラ（70）と、電源部（18）と、通信端末（80）とを含んでいる。
【００５６】
上述したカメラ（70）は、室内ユニット（11）のケーシング（20）内に設けられる。カメラ（70）は、撮像制御部（74）と、記憶部（75）と、ＩＤ付与部（76）と、無線通信部（77）とを有している。
【００５７】
撮像制御部（74）は、外部から入力された撮像指令に応じて、カメラ（70）の撮像の動作を制御する。具体的に、本実施形態では、通信端末（80）から無線通信部（77）に撮像指令を示す信号が入力されると、カメラ（70）によって撮像対象を撮像する動作を実行させる。これにより、カメラ（70）では、撮像対象（本実施形態では、ドレンパン（60））の画像データが取得される。撮像制御部（74）は、マイクロコンピュータと、該マイクロコンピュータを動作させるためのソフトウエアを格納するメモリディバイス（具体的には半導体メモリ）とを用いて構成されている。
【００５８】
記憶部（75）は、取得された画像データを記憶していく。記憶部（75）は、種々のメモリディバイス（半導体メモリ）によって構成される。
【００５９】
ＩＤ付与部（76）は、画像データに対応するＩＤ情報を、対応する画像データに関連付ける。このＩＤ情報としては、撮像した日付／時間、撮像したドレンパン（60）に対応する空気調和装置の機種／場所などが挙げられる。従って、記憶部（75）には、これらのＩＤ情報を含む画像データが記憶されていく。
【００６０】
無線通信部（77）は、無線によって通信端末（80）と接続される。無線式の伝送手段を構成している。無線通信部（77）は、例えば無線式のルータで構成される。無線通信部（77）は、空気調和装置（10）の周辺の通信端末（80）と無線ＬＡＮを経由して接続される。これにより、カメラ（70）と通信端末（80）との間でデータの授受が可能となる。具体的には、無線通信部（77）は、カメラ（70）で取得した画像データを無線により通信端末（80）へ伝送する。また、無線通信部（77）には、通信端末（80）（サービス業者等）からの撮像指令が適宜受信される。なお、無線通信部（77）は、例えば携帯高速通信技術（例えばＬＴＥ）の通信回線を利用するものであってもよい。
【００６１】
電源部（18）は、例えば空気調和装置（10）の電装品箱（16）の内部に設けられる。カメラ（70）の電源線（85）は、例えば点検口（50）を介してケーシング（20）の外部へ導かれ、該外部から電装品箱（16）の内部へ引き込まれる。このような配線により、ケーシング（20）内のカメラ（70）と電装品箱（16）内の電源部（18）とが電源線（85）を介して接続される。これにより、電源部（18）からカメラ（70）に電力が供給される。この電源部（18）は、空気調和装置（10）の他の機器の電源を兼用している。
【００６２】
通信端末（80）は、無線ＬＡＮ等と接続可能なスマートフォン、タブレット端末、携帯電話、パーソナルコンピュータ等で構成される。通信端末（80）は、マイクロコンピュータと、該マイクロコンピュータを動作させるためのソフトウエア、記憶部としてのメモリディバイス、画像データを受信するための受信部、所定の指令を出力するための送信部を含んでいる。
【００６３】
また、通信端末（80）は、操作部（81）と表示部（82）とを有する。サービス業者等は、キーボードやタッチパネル等の操作部（81）により、所定のアプリケーションソフトを操作する。表示部（82）に表示されたアプリケーションソフト上では、例えばカメラ（70）の撮像を実行するための指令を送信したり、カメラ（70）で取得した画像データをダウンロードしたりできる。
【００６４】
−運転動作−
実施形態１に係る空気調和装置（10）の基本的な運転動作について図１及び図３を参照しながら説明する。空気調和装置（10）は、冷房運転と暖房運転とを実行可能に構成される。
【００６５】
冷房運転では、室外ユニットの圧縮機で圧縮された冷媒が、室外熱交換器で放熱（凝縮）し、膨張弁で減圧される。減圧された冷媒は、室内ユニット（11）の室内熱交換器（43）で蒸発し、圧縮機で再び圧縮される。
【００６６】
ファン（40）が運転されると、室内空間の室内空気（RA）が吸込口（31）から空気流路（33）に吸い込まれる。空気流路（33）の空気は、室内熱交換器（43）を通過する。室内熱交換器（43）では、冷媒が空気から吸熱することでこの空気が冷却される。冷却された空気は、吹出口（32）を通過した後、供給空気（SA）として室内空間へ供給される。
【００６７】
ここで、室内熱交換器（43）で空気が露点温度以下にまで冷却されると、空気中の水分が凝縮する。このようにして発生した凝縮水は、ドレンパン（60）へ適宜回収される。ドレンパン（60）に回収された凝縮水は、ドレンポンプ（66）によってケーシング（20）の外部へ排出される。
【００６８】
一方、暖房運転では、室外ユニットの圧縮機で圧縮された冷媒が、室内ユニット（11）の室内熱交換器（43）で放熱（凝縮）し、膨張弁で減圧される。減圧された冷媒は、室外ユニットの室外熱交換器で蒸発し、圧縮機で再び圧縮される。このため、室内熱交換器（43）では、冷媒が空気に放熱し、該空気が加熱される。
【００６９】
〈カメラの取付作業〉
本実施形態のカメラ（70）は、取付部（52）を介してヘッダ集合管（47）に取り付けられる。具体的に、ケーシング本体（20a）から点検口（50）を取り外すと、ケーシング（20）の外部にヘッダ集合管（47）が露出する状態となる。この状態で、ヘッダ集合管（47）に取付部（52）を取り付ける。ヘッダ集合管（47）を一対の挟持部材（53）で挟み込むと、付勢された把持部（53b）によりヘッダ集合管（47）が保持される。この結果、カメラ（70）は、取付部（52）を介してヘッダ集合管（47）に支持される。この状態では、カメラ（70）のレンズ（71）が斜め下を向く状態になる。次いで、調整機構（100）により、カメラ（70）の撮像方向を微調整する。この結果、カメラ（70）の撮像範囲内にドレンパン（60）を容易に位置付けることができる。
【００７０】
〈ドレンパンの状態の確認作業〉
本実施形態では、上述したドレンパン（60）の状態を、撮像システム（S）により適宜確認することができる。
【００７１】
具体的には、上述した点検蓋（51）の取り付け状態では、カメラ（70）のレンズ（71）がドレンパン（60）の内部を指向している。この状態において、サービス業者等が通信端末（80）を操作し、アプリケーションソフト上で撮像のコマンドを入力する。これにより、通信端末（80）からカメラ（70）へ撮像指令が出力される。カメラ（70）の無線通信部（77）に、この撮像指令が入力されると、撮像制御部（74）により、カメラ（70）の撮像が実行される。この撮像の際には、光源（72）が動作することで、ドレンパン（60）の内部が照らされる。このような撮像により、サービス業者等が要求するタイミングで、ドレンパン（60）の内部の画像データを取得することができる。
【００７２】
このようにしてカメラ（70）に記憶された画像データは、ＩＤ情報とともに通信端末（80）へ出力される。従って、サービス業者等は、この画像データを表示部（82）により確認でき、ドレンパン（60）の状態を適宜把握することができる。具体的に、サービス業者等は、この画像データを確認することで、ドレンパン（60）内の凝縮水の腐敗、カビ、汚れ等の度合いや、ドレンパン（60）内の水位の確認、ドレン配管（67）の詰まりの有無、ドレンポンプ（66）の故障の有無などを把握することができる。
【００７３】
−実施形態１の効果−
上記実施形態１によれば、カメラ（70）によりドレンパン（60）の内部の画像データを適宜取得できるため、サービス業者等は、天井裏の空間に入り込むことなく、ドレンパン（60）の内部の状態を把握できる。ここで、カメラ（70）で取得した画像データは、無線により、ケーシング（20）の外部の通信端末（80）へ伝送される。このため、伝送線等を設けずとも、カメラ（70）から比較的離れた通信端末（80）に対して、容易に画像データを送ることができる。
【００７４】
図３に示すように、カメラ（70）は、構成部品であるヘッダ集合管（47）に取付部（52）を介して取り付けられる。取付部（52）は、一対の挟持部材（53）によりヘッダ集合管（47）に簡単に取り付け／取り外しができる。このため、ケーシング（20）の内部において、カメラ（70）の取り付け作業を容易に行うことができる。また、ヘッダ集合管（47）は、カメラ（70）の支持部材として機能するため、部品点数を削減できる。
【００７５】
本実施形態では、構成部品であるヘッダ集合管（47）が点検口（50）の近傍に配置されるため、ケーシング（20）の外部からカメラ（70）の取り付け作業を行うことができる。
【００７６】
カメラ（70）は、調整機構（100）により撮像方向の角度を任意に調整できる。このため、撮像対象であるドレンパン（60）をカメラ（70）の撮像範囲に容易に位置付けることができる。
【００７７】
《実施形態２》
実施形態２に係る空気調和装置（10）は、上記実施形態１と基本的な構成が異なる。実施形態２の空気調和装置（10）は、室外空気（OA）を取り込み、この空気の温度及び湿度を調節する。そして、空気調和装置（10）は、このように処理した空気を供給空気（SA）として室内へ供給する。つまり、空気調和装置（10）は、外気処理方式である。また、空気調和装置（10）は、例えば冬場等において、空気を加湿するための加湿エレメント（45）を備えている。
【００７８】
空気調和装置（10）は、例えば天井裏の空間に設置される。また、空気調和装置（10）は、実施形態１と同様にして、室外ユニット（図示省略）と、室内ユニット（11）とを有し、これらが冷媒配管で接続されることで、冷媒回路が構成される。
【００７９】
〈室内ユニット〉
図７及び図８に示すように、室内ユニット（11）は、天井裏に設置されるケーシング（20）と、給気ファン（40a）と、排気ファン（40b）と、室内熱交換器（43）と、全熱交換器（44）と、加湿エレメント（45）とを備えている。また、ケーシング（20）の内部には、室内熱交換器（43）で発生した凝縮水を回収するドレンパン（60）と、ドレンパン（60）に溜まった水を排出するための排水口とが設けられる。
【００８０】
〈ケーシング〉
ケーシング（20）は、直方体の中空箱形に形成されている。実施形態２のケーシング（20）は、実施形態１と同様、天板（21）、底板（22）、前面パネル（23）、後面パネル（24）、第１側面パネル（25）、及び第２側面パネル（26）を備えている。
【００８１】
前面パネル（23）は、メンテナンス用空間（15）に面している。前面パネル（23）側には、電装品箱（16）、点検口（50）、及び点検蓋（51）が設けられる（詳細は後述する）。第１側面パネル（25）には、内気口（34）及び給気口（35）が形成される。内気口（34）には、内気ダクト（図示省略）が接続される。内気ダクトの流入端は、室内空間に繋がっている。給気口（35）には、給気ダクト（図示省略）が接続される。給気ダクトの流出端は、室内空間に繋がっている。第２側面パネル（26）には、排気口（36）及び外気口（37）が形成される。排気口（36）には、排気ダクト（図示省略）が接続される。排気ダクトの流出端は、室外空間に繋がっている。外気口（37）には、外気ダクト（図示省略）が接続される。外気ダクトの流入端は、室外空間に繋がっている。
【００８２】
ケーシング（20）の内部には、給気流路（33A）と、排気流路（33B）とが形成される。給気流路（33A）は、外気口（37）から給気口（35）に亘るまでの流路である。排気流路（33B）は、内気口（34）から排気口（36）に亘るまでの流路である。
【００８３】
〈全熱交換器〉
全熱交換器（44）は、横長の四角柱状に形成される。全熱交換器（44）は、例えば２種類のシートが水平方向に交互に積み重なって構成される。２種類のシートのうちの一方には、給気流路（33A）に連通する第１通路（44a）が形成される。２種類のシートのうちの他方のシートには、排気流路（33B）に連通する第２通路（44b）が形成される。各シートは、伝熱性及び吸湿性を有する材料で構成される。このため、全熱交換器（44）では、第１通路（44a）を流れる空気と、第２通路（44b）を流れる空気との間で潜熱及び顕熱の交換が行われる。
【００８４】
〈給気ファン〉
給気ファン（40a）は、給気流路（33A）に配置され、給気流路（33A）の空気を搬送する。より詳細には、給気ファン（40a）は、給気流路（33A）において、全熱交換器（44）の第１通路（44a）と室内熱交換器（43）との間に配置される。
【００８５】
〈排気ファン〉
排気ファン（40b）は、排気流路（33B）に配置され、排気流路（33B）の空気を搬送する。より詳細には、排気ファン（40b）は、排気流路（33B）において、全熱交換器（44）の第２通路（44b）の下流側に配置される。
【００８６】
〈室内熱交換器〉
室内熱交換器（43）は、給気流路（33A）における前面パネル（23）寄りに配置される。室内熱交換器（43）は、例えばフィンアンドチューブ式の熱交換器で構成される。
【００８７】
〈加湿エレメント〉
加湿エレメント（45）は、給気流路（33A）における前面パネル（23）寄りに配置される。加湿エレメント（45）は、給気流路（33A）における室内熱交換器（43）の下流側に配置される。加湿エレメント（45）は、上下に延びる複数の吸湿材料が水平方向に配列されて構成される。これらの吸湿材料には、給水タンク（48）からの水が供給される。加湿エレメント（45）では、吸湿材料の周囲を流れる空気中に、蒸発した空気が付与される。これにより、給気流路（33A）を流れる空気が加湿される。
【００８８】
給水タンク（48）は、加湿エレメント（45）に沿うように前後に延びる角型の容器で構成される。給水タンク（48）には、該給水タンク（48）に加湿水を供給するための水配管（49）が接続される（図７を参照）。水配管（49）は、加湿エレメント（45）及び給水タンク（48）に沿うように前後方向に延びている。水配管（49）は、カメラ（70）の取付部（52）が取り付けられる配管（構成部品）である。
【００８９】
〈ドレンパン〉
図８に模式的に示すように、ドレンパン（60）は、室内熱交換器（43）の下側に設置され、室内熱交換器（43）で発生した凝縮水を回収する。また、実施形態２のドレンパン（60）は、加湿エレメント（45）の下側に配置される。このため、ドレンパン（60）は、加湿エレメント（45）から流出した水（加湿水）も回収可能となっている。
【００９０】
〈電装品箱〉
図７及び図９に示すように、電装品箱（16）は、前面パネル（23）の前面、且つ略中央部に設けられる。電装品箱（16）の内部には、実施形態１と同様の電装品が収容される。
【００９１】
〈点検口及び点検蓋〉
図７に示すように、点検口（50）は、前面パネル（23）のうち室内熱交換器（43）及び加湿エレメント（45）の近傍に配置される。点検口（50）は、ドレンパン（60）及び加湿エレメント（45）に対応する位置に形成される。点検口（50）から点検蓋（51）を取り外すことで、メンテナンス用空間（15）側から、ドレンパン（60）の内部や加湿エレメント（45）を点検することができる。点検蓋（51）は、複数の締結部材を介してケーシング本体（20a）に取り付けられる。
【００９２】
〈カメラの取付位置〉
図７に示すように、本実施形態のカメラ（70）は、上記実施形態１と同様の取付部（52）を介して、例えば構成部品である水配管（49）に接続される。つまり、取付部（52）の一対の挟持部材（53）により水配管（49）が挟み込まれる。この際、カメラ（70）がドレンパン（60）の内部を向くように、カメラ（70）の取り付け位置が調整される。更に、調整機構（100）により、カメラ（70）の撮像方向の微調整が行われる。この結果、カメラ（70）の撮像範囲内にドレンパン（60）を容易に位置付けることができる。
【００９３】
撮像システム（S）の基本構成は、実施形態１（図６を参照）と同じである。
【００９４】
−運転動作−
実施形態２に係る空気調和装置（10）の運転動作について図７及び図８を参照しながら説明する。空気調和装置（10）は、冷房運転と暖房運転とを実行可能に構成される。
【００９５】
上記実施形態１と同様、冷房運転では、室内熱交換器（43）が蒸発器となり、暖房運転では、室内熱交換器（43）が凝縮器（放熱器）となる。また、暖房運転では、空気を加湿するために加湿エレメント（45）が作動する。また、冷房運転及び暖房運転では、給気ファン（40a）及び排気ファン（40b）が作動すると、室外空気（OA）が外気口（37）から給気流路（33A）に取り込まれると同時に、室内空気（RA）が内気口（34）から排気流路（33B）に取り込まれる。これにより、室内空間の換気が行われる。
【００９６】
冷房運転において、給気流路（33A）に取り込まれた室外空気（OA）は、全熱交換器（44）の第１通路（44a）を流れる。一方、排気流路（33B）に取り込まれた室内空気（RA）は、全熱交換器（44）の第２通路（44b）を流れる。例えば夏季においては、室外空気（OA）は、室内空気（RA）よりも温度及び湿度が高い。このため、全熱交換器（44）では、室外空気（OA）の潜熱及び顕熱が、室内空気（RA）へ付与される。この結果、第１通路（44a）では、空気の冷却及び除湿が行われる。第２通路（44b）において、潜熱及び顕熱が付与された空気は、排気口（36）を通過し、排出空気（EA）として室外空間へ排出される。
【００９７】
第１通路（44a）で冷却及び除湿された空気は、室内熱交換器（43）で冷却された後、停止状態の加湿エレメント（45）を通過する。その後、この空気は、給気口（35）を通過し、供給空気（SA）として室内空間へ供給される。
【００９８】
暖房運転において、給気流路（33A）に取り込まれた室外空気（OA）は、全熱交換器（44）の第１通路（44a）を流れる。一方、排気流路（33B）に取り込まれた室内空気（RA）は、全熱交換器（44）の第２通路（44b）を流れる。例えば冬季においては、室外空気（OA）は、室内空気（RA）よりも温度及び湿度が低い。このため、全熱交換器（44）では、室内空気（RA）の潜熱及び顕熱が、室外空気（OA）へ付与される。この結果、第１通路（44a）では、空気の加熱及び加湿が行われる。第２通路（44b）において、潜熱及び顕熱が奪われた空気は、排気口（36）を通過し、排出空気（EA）として室外空間へ排出される。
【００９９】
第１通路（44a）で加熱及び加湿された空気は、室内熱交換器（43）で加熱された後、加湿エレメント（45）を通過する。加湿エレメント（45）では、吸湿材料で気化した水分が空気に付与され、この空気が更に加湿される。加湿エレメント（45）を通過した空気は、給気口（35）を通過し、供給空気（SA）として室内空間へ供給される。
【０１００】
〈ドレンパン及び加湿エレメントの状態の確認作業〉
実施形態２においても、実施形態１と同様にして、ドレンパン（60）の状態を確認できる。つまり、通信端末（80）からの撮像指令がカメラ（70）の無線通信部（77）に入力されると、カメラ（70）が撮像を実行する。これにより、例えば夏季において、ドレンパン（60）の内部の画像データを取得でき、ドレンパン（60）の状態を把握することができる。
【０１０１】
また、暖房運転に伴い加湿エレメント（45）が作動すると、吸湿材料の表面にスケールやカビ等が発生する可能性がある。実施形態２では、カメラ（70）により加湿エレメント（45）の画像データも取得できるため、このような加湿エレメント（45）の状態を簡便に把握することができる。
【０１０２】
それ以外の作用効果は、上記実施形態１と同様である。
【０１０３】
《取付部の変形例》
図１０に示す変形例は、上記実施形態と取付部（52）の構成が異なる。具体的に、取付部（52）は、断面コの字状の取付部材（54）と、該取付部材（54）に締結される締結部材（55）（例えばボルトナット）とを有する。取付部材（54）は、ロッド（111）が連結される基板（54a）と、該基板（54a）の幅方向の両端からロッド（111）と逆側に延出する一対の挟持板（54b）とを有する。基板（54a）及び挟持板（54b）は、弾性を有する金属材料あるいは樹脂材料で構成される。挟持板（54b）は、構成部品を挟むように対向する一対の挟持部材を構成する。締結部材（55）は、一対の支持板（73）の間隔を狭めるように該挟持板（54b）を押し付ける押付部材を構成している。図１０の例の取付部（52）は、２本の締結部材（55）を有するが、１本、又は３本以上であってもよい。
【０１０４】
変形例の取付部（52）では、取付部材（54）の内部に所定の構成部品を位置付けた状態で、締結部材（55）を締結する。これにより、取付部材（54）の内部に構成部品が保持され、カメラ（70）が構成部品に支持される。
【０１０５】
《撮像システムの変形例》
各実施形態（詳細は後述する実施形態３も含む）に係る空気調和装置（10）においては、以下に挙げる変形例に係る撮像システム（S）を採用してもよい。
【０１０６】
〈変形例１〉
図１１に示す変形例１の撮像システム（S）は、カメラ（70）と別体の通信ユニット（90）を備えている。通信ユニット（90）は、ケーシング（20）の外部に配置され、伝送線（91）を介してカメラ（70）と接続される。伝送線（91）は、例えば点検蓋（51）に形成した配線用の貫通穴に挿通される。伝送線（91）は、カメラ（70）側の第１送受信部（78）と、通信ユニット（90）側の第２送受信部（92）とに接続される。これにより、カメラ（70）と通信ユニット（90）との間で画像データや信号の授受が可能となっている。
【０１０７】
上記実施形態１や２では、記憶部（75）、ＩＤ付与部（76）、及び無線通信部（77）がカメラ（70）に設けられる。これに対し、変形例１では、記憶部（75）、ＩＤ付与部（76）、及び無線通信部（77）が通信ユニット（90）に設けられる。通信端末（80）は、無線により、通信ユニット（90）の無線通信部（77）と接続される。
【０１０８】
変形例１では、通信端末（80）からの撮像指令が、無線により通信ユニット（90）に送られる。この撮像指令は、伝送線（91）を経由してカメラ（70）側に入力される。この結果、カメラ（70）の撮像が実行される。
【０１０９】
カメラ（70）で取得した画像データは、伝送線（91）を介して通信ユニット（90）へ入力され、記憶部（75）に適宜記憶される。この際、ＩＤ付与部（76）は、画像データに対応するＩＤ情報を、該画像データに関連付ける。ＩＤ情報が付与された画像データは、無線により、通信端末（80）へ適宜送信される。
【０１１０】
変形例１では、通信端末（80）と無線によりデータの授受を行う通信ユニット（90）がケーシング（20）の外部に設けられる。このため、通信端末（80）と通信ユニット（90）との間の電波が干渉しにくくなり、データの伝送が安定する。
【０１１１】
〈変形例２〉
図１２に示す変形例２の撮像システム（S）では、通信ユニット（90）及び通信端末（80）がネットワーク（N）を介してクラウドサーバ（95）に接続される。例えば通信ユニット（90）側の画像データは、ネットワーク（N）を経由してクラウドサーバ（95）に送られ、該クラウドサーバ（95）に記憶されていく。通信端末（80）は、クラウドサーバ（95）から画像データを取得することができる。
【０１１２】
〈変形例３〉
図１３に示す変形例３の撮像システム（S）は、空気調和装置（10）の各機器の動作に連動してカメラ（70）を制御するように構成される。この点について詳細に説明する。
【０１１３】
変形例３では、電装品箱（16）に空調制御部（19）が設けられる。空調制御部（19）は、上述した冷房運転や暖房運転において、ファン（40）、ドレンポンプ（66）、冷媒回路の各構成機器等を適宜制御するように構成される。
【０１１４】
一方、変形例３のカメラ（70）には、入力部（79）が設けられる。入力部（79）には、空調制御部（19）からの運転指令に相当する信号（X）が入力される。撮像制御部（74）は、入力部（79）に信号（X）が入力されることに同期してカメラ（70）の撮像を実行させる。
【０１１５】
まず、変形例３の撮像システム（S）のカメラ（70）の撮像のタイミングについて、図１４のタイミングチャートを参照しながら説明する。ここでは、実施形態１に係る空気調和装置（10）を対象とする。本例のカメラ（70）の撮像は、ファン（40）の運転の開始前で且つ室内熱交換器（43）の冷却動作の開始前に実行される。
【０１１６】
ここで、室内熱交換器（43）の冷却動作とは、蒸発器となる室内熱交換器（43）を流れる冷媒によって空気を冷却する動作である。従って、室内熱交換器（43）の停止状態とは、室内熱交換器（43）を実質的に冷媒が流れず、空気が冷却されない状態を意味する。空気調和装置（10）では、例えば圧縮機が停止する、あるいは室内熱交換器（43）の冷媒の流通が制限されることで、室内熱交換器（43）が停止状態となる。
【０１１７】
図１４に示すように、空調制御部（19）に冷房運転の開始指令が時点ｔ１に入力されると、空調制御部（19）は、この時点ｔ１よりもΔＴａ後の時点ｔ２に、ファン（40）を運転させる制御と、室内熱交換器（43）の冷却動作を開始させる制御とを行う。これにより、時点ｔ２から冷房運転が開始される。
【０１１８】
一方、空調制御部（19）は、冷房運転の開始指令が入力される時点ｔ１と同時に、カメラ（70）の撮像を実行させるための信号（X）をカメラ（70）へ出力する。カメラ（70）の入力部（79）にこの信号（X）が入力されると、撮像制御部（74）は、カメラ（70）の撮像を実行させる。これにより、カメラ（70）は、冷房運転の開始指令とほぼ同じタイミングでドレンパン（60）の画像データを取得することになる。以上により、本実施形態では、ファン（40）の運転の開始直前、且つ室内熱交換器（43）の冷却動作の開始直前に、カメラ（70）の撮像が実行される。換言すると、冷房運転の開始直前にカメラ（70）の撮像が実行される。
【０１１９】
撮像の時点ｔ１では、ファン（40）及び室内熱交換器（43）が停止状態となる。このため、時点ｔ１では、空気調和装置（10）の全体の消費電力が小さくなる。従って、電源部（18）からカメラ（70）へ送られる供給電力を十分に確保できる。
【０１２０】
ファン（40）が運転状態であると、ドレンパン（60）の空気流れ、及び振動の影響により、ドレンパン（60）の内部の凝縮水の水面が不安定となる。これに対し、本実施形態では、時点ｔ１において、ファン（40）が停止状態であるため、ドレンパン（60）の内部の凝縮水の水面も安定する。従って、凝縮水の水面が不安定となることに起因して、ドレンパン（60）の画像データが不鮮明となってしまうことを回避できる。
【０１２１】
室内熱交換器（43）が冷却動作を行う状態では、室内熱交換器（43）で冷却された空気中から凝縮水が発生し易い。このため、ドレンパン（60）内の水面が上昇し易い。これに対し、本例では、時点ｔ１において、室内熱交換器（43）が停止状態である。このため、室内熱交換器（43）の冷却動作に起因してドレンパン（60）内の水面が上昇することもない。従って、凝縮水の水面が上昇することに起因して、ドレンパン（60）の画像データが不鮮明となってしまうことを回避できる。
【０１２２】
前回の冷房運転から次の冷房運転までの間の期間（つまり、空気調和装置（10）の停止期間）では、ドレンパン（60）内に溜まった凝縮水の腐敗や、カビの発生が徐々に進行していく。従って、冷房運転の開始直前には、このような凝縮水の腐敗や、カビの発生の度合いが顕著になり易い。本実施形態では、次の冷房運転の開始直前である時点ｔ１において、ドレンパン（60）を撮像する。このため、画像データにおける凝縮水の腐敗やカビの発生が顕著となり、ドレンパン（60）の汚れの度合いをより明確に把握できる。
【０１２３】
〈撮像の動作のタイミングの他の制御例〉
上記実施形態においては、以下のようなタイミングでドレンパン（60）を撮像してもよい。なお、上記の例や、以下に説明する例の各タイミングを組み合わせることもできる。
【０１２４】
−制御例１−
制御例１では、カメラ（70）の撮像が、ファン（40）の運転の停止後で且つ室内熱交換器（43）の冷却動作の停止後に実行される。
【０１２５】
図１５に示すように、空調制御部（19）に冷房運転の停止指令が時点ｔ３に入力されると、空調制御部（19）は、ファン（40）を停止させる制御と、室内熱交換器（43）の冷却動作を停止させる制御とを行う。これにより、時点ｔ３から冷房運転が停止される。
【０１２６】
一方、空調制御部（19）は、この時点ｔ３よりもΔＴｂ後の時点ｔ４にカメラ（70）の撮像を実行させるための信号（X）をカメラ（70）へ出力する。カメラ（70）の入力部（79）にこの信号（X）が入力されると、撮像制御部（74）は、カメラ（70）の撮像を実行させる。これにより、カメラ（70）は、冷房運転の終了よりやや遅れたタイミングでドレンパン（60）の画像データを取得することになる。以上により、本実施形態では、ファン（40）の運転の終了直後、且つ室内熱交換器（43）の冷却動作の終了直後に、カメラ（70）の撮像が実行される。換言すると、冷房運転の停止直後にカメラ（70）の撮像が実行される。
【０１２７】
他の制御例１に係る撮像の時点ｔ４では、ファン（40）及び室内熱交換器（43）が停止状態となる。このため、上記実施形態と同様、空気調和装置（10）の全体の消費電力が小さくなる。従って、電源部（18）からカメラ（70）へ送られる供給電力を十分に確保できる。また、ファン（40）や室内熱交換器（43）が停止状態となることで、撮像時おけるドレンパン（60）の水面も安定する。
【０１２８】
時点ｔ４の直前までは、室内熱交換器（43）が冷却動作を行っており、空気中から凝縮水が発生する可能性が高い。このため、時点ｔ４においては、基本的には、ドレンパン（60）の内部に凝縮水が溜まっている。従って、時点ｔ４において、ドレンパン（60）の画像データを取得することで、ドレンパン（60）の内部の凝縮水の状態を確認することができる。
【０１２９】
−制御例２−
制御例２では、カメラ（70）の撮像が、ドレンポンプ（66）の運転の停止後に実行される。ここで、ドレンポンプ（66）は、例えば冷房運転の開始と同時に運転され、冷房運転の停止直後に停止される。あるいは、ドレンポンプ（66）は、タイマー等により間欠的に運転されるものであってもよし、ドレンパン（60）の水位が所定レベルを越えると実行されるものであってもよい。
【０１３０】
図１６に示すように、例えば時点ｔ５においてドレンポンプ（66）を停止させる指令があると、空調制御部（19）は、ドレンポンプ（66）を時点ｔ５において停止させる制御を行う。この場合、空調制御部（19）は、時点ｔ５からΔＴｃ後の時点ｔ６において、信号（X）をカメラ（70）の入力部（79）に出力する。これにより、ドレンポンプ（66）の停止直後の時点ｔ６において、カメラ（70）の撮像が実行される。
【０１３１】
他の制御例２に係る撮像の時点ｔ６では、ドレンポンプ（66）が停止状態となる。このため、上記実施形態と同様、空気調和装置（10）の全体の消費電力が小さくなる。従って、電源部（18）からカメラ（70）へ送られる供給電力を十分に確保できる。
【０１３２】
ドレンポンプ（66）が運転状態であると、ドレンポンプ（66）が凝縮水を吸入することや、該ドレンポンプ（66）の振動に起因して、ドレンパン（60）の内部の凝縮水の水面が不安定となる。これに対し、時点ｔ６では、ドレンポンプ（66）が停止状態であり、ドレンパン（60）の内部の凝縮水の水面も安定する。従って、凝縮水の水面が不安定となることに起因して、取得したデータの画像が不鮮明となってしまうことを回避できる。
【０１３３】
ドレンポンプ（66）の運転の停止直前までは、ドレンパン（60）の内部の凝縮水が排水される。従って、ドレンポンプ（66）の運転の停止直後は、通常であれば、ドレンパン（60）の内部に凝縮水がさほど溜まっていないはずである。それにも拘わらず、ドレンパン（60）の内部に比較的多くの凝縮水が存在する場合、ドレンポンプ（66）が故障していたり、排水用の配管が詰まっていたりする不具合が想定できる。従って、時点ｔ６においてドレンパン（60）の内部を撮像することで、凝縮水の排水構造に係る上記のような不具合を発見できる。
【０１３４】
−制御例３−
制御例３では、カメラ（70）の撮像が、ドレンポンプ（66）の運転の開始前に実行される。図１７に示すように、例えば時点ｔ７においてドレンポンプ（66）を運転させる指令があると、空調制御部（19）は、ドレンポンプ（66）を時点ｔ７からΔＴｄ後の時点ｔ８において、ドレンポンプ（66）を運転させる制御を行う。一方、空調制御部（19）は、時点ｔ７において、信号（X）をカメラ（70）の入力部（79）に出力する。これにより、ドレンポンプ（66）の運転直前の時点ｔ７において、カメラ（70）の撮像が実行される。
【０１３５】
他の制御例３に係る撮像の時点ｔ７では、ドレンポンプ（66）が停止状態となる。このため、上記実施形態と同様、空気調和装置（10）の全体の消費電力が小さくなる。従って、電源部（18）からカメラ（70）へ送られる供給電力を十分に確保できる。また、ドレンパン（60）の凝縮水の水面も安定する。
【０１３６】
ドレンポンプ（66）の運転の開始前までは、ドレンパン（60）の内部に凝縮水が溜まっていく。従って、時点ｔ７においてカメラ（70）の撮像を実行させることで、ドレンパン（60）の内部の凝縮水の状態を把握し易くなる。
【０１３７】
−制御例４−
制御例４は、上述した実施形態２の暖房運転に適用される。実施形態２のカメラ（70）の撮像は、ファン（給気ファン（40a）及び排気ファン（40b））の運転の開始前、且つ室内熱交換器（43）の加熱動作の開始前、且つ加湿エレメント（45）の運転の開始前に実行される。
【０１３８】
図１８に示すように、空調制御部（19）に暖房運転の開始指令が時点ｔ９に入力されると、空調制御部（19）は、この時点ｔ９よりもΔＴｅ後の時点ｔ１０に、給気ファン（40a）及び排気ファン（40b）を運転させる制御と、室内熱交換器（43）の加熱動作を開始させる制御と、加湿エレメント（45）を運転させる制御とを行う。これにより、時点ｔ１０から暖房運転が開始される。
【０１３９】
一方、空調制御部（19）は、暖房運転の開始指令が入力される時点ｔ９と同時に、カメラ（70）の撮像を実行させるための信号（X）をカメラ（70）へ出力する。カメラ（70）の入力部（79）にこの信号（X）が入力されると、撮像制御部（74）は、カメラ（70）の撮像を実行させる。これにより、カメラ（70）は、暖房運転の開始指令とほぼ同じタイミングでドレンパン（60）及び加湿エレメント（45）の画像データを取得することになる。
【０１４０】
時点ｔ９では、給気ファン（40a）、排気ファン（40b）、室内熱交換器（43）、及び加湿エレメント（45）が停止状態となる。このため、時点ｔ９では、空気調和装置（10）の全体の消費電力が小さくなる。従って、電源部（18）からカメラ（70）へ送られる供給電力を十分に確保できる。また、時点ｔ９では、ドレンパン（60）の内部の加湿水の水面も安定する。
【０１４１】
前回の暖房運転から次の暖房運転までの間の期間（つまり、空気調和装置（10）の停止期間）では、加湿エレメント（45）の吸湿部材において、スケールやカビの発生が進行していく。従って、暖房運転の開始直前には、このようスケールやカビの発生の度合いが顕著になり易い。実施形態２では、次の暖房運転の開始直前である時点ｔ９において、加湿エレメント（45）を撮像する。このため、加湿エレメント（45）の画像データにおけるスケールやカビの発生が顕著となり、加湿エレメント（45）の汚れの度合いをより明確に把握できる。
【０１４２】
〈変形例４〉
図１９に示す変形例４は、変形例３に係る撮像システム（S）のクラウドサーバ（95）に判定部（96）が設けられる。判定部（96）は、カメラ（70）で取得した画像データに基づき、撮像対象の状態を自動的に判定する。なお、判定部（96）を通信ユニット（90）やカメラ（70）や通信端末（80）に設けることもできる。また、変形例４では、上述した変形例３と同様、空気調和装置（10）の運転動作（停止動作も含む）に連動して画像データが取得される。
【０１４３】
空気調和装置（10）の運転に連動してカメラ（70）が撮像対象の内部の画像データを取得すると、この画像データは、通信ユニット（90）を経由してクラウドサーバ（95）に送られる。クラウドサーバ（95）の判定部（96）では、これらの画像データに基づき、撮像対象の状態を判定する。ここで、判定部（96）は、例えばＡＩ（人工知能）のディープラーニングを用いることで実現される。これにより、判定部（96）では、例えばドレンパン（60）や加湿エレメント（45）などの汚れの度合いを判定できる。また、判定部（96）は、将来における、ドレンパン（60）や加湿エレメント（45）の汚れの度合いを判定するものであってもよい。判定部（96）の判定結果は、例えば通信端末（80）に送信される。これにより、サービス業者等は、通信端末（80）を介して撮像対象の現在、又は将来の状態を把握できる。従って、このような情報に基づき、メンテナンスの予定を計画できる。
【０１４４】
判定部（96）で判定される画像データは、上述したように、空気調和装置（10）に連動した定期的なタイミングで取得される。このため、ＡＩに利用される画像データの誤差要因を取り除くことができ、判定精度を向上できる。特に上述した各機器の提示状態において、画像データを取得することで、空気の流れや振動に起因する画像データの誤差要因を確実に取り除くこができる。
【０１４５】
〈変形例５〉
変形例５は、カメラ（撮像装置（70））側の配線（内部配線（56））が第１コネクタ（56a）及び第２コネクタ（86a）を介して外部配線（86）と接続される。図２０に模式的に示すように、カメラ（70）には、内部配線（56）の一端が接続される。内部配線（56）は、ケーシング（20）に設けられた挿通穴（27）を介してケーシング（20）の外部まで配設される。本例では、挿通穴（27）が点検蓋（51）に形成される。ケーシング（20）には、該挿通穴（27）の内縁と内部配線（56）との間の隙間を塞ぐための蓋などの部材が設けられてもよい。
【０１４６】
本例のカメラ（70）の内部配線（56）の他端は、ケーシング（20）の外部に配置される。ケーシング（20）の他端には、第１コネクタ（56a）が設けられる。例えば外部配線（86）の一端は、電装品箱（16）の内部の電源部（18）に接続される。外部配線（86）は、電装品箱（16）の外部まで配設される。外部配線（86）の他端は、電装品箱（16）の外部に配置される。外部配線（86）の他端には、第２コネクタ（86a）が設けられる。
【０１４７】
変形例５では、第１コネクタ（56a）と第２コネクタ（86a）とがケーシング（20）の外部で連結される。これにより、カメラ（70）の内部配線（56）と外部配線（86）とが互いに接続され、カメラ（70）への給電が可能となる。なお、内部配線（56）及び外部配線（86）は、画像データや各種の信号の授受を行う伝送線であってもよいし、給電と伝送との双方が可能なケーブルであってよい。
【０１４８】
内部配線（56）及び外部配線（86）が伝送用に用いられる場合、例えば電装品箱（16）の内部に無線通信部（77）（例えば無線ＬＡＮアダプタ）を配置し、無線通信部（77）と外部配線（86）とを接続する。これにより、カメラ（70）と無線通信部（77）との間では、有線接続により、画像データや各種の信号の授受を行うことができる。上述したように、無線通信部（77）は、無線接続により、通信端末（80）との間で画像データや各種の信号の授受を行う。
【０１４９】
以上のように、変形例５では、カメラ（70）の内部配線（56）をケーシング（20）の外部まで配設するとともに、内部配線（56）の他端に第１コネクタ（56a）を設けている。このため、ケーシング（20）の内部にアクセスせずとも、内部配線（56）の接続及び取り外しを簡便に行うことができる。なお、内部配線（56）の第１コネクタ（56a）と、外部配線（86）の第２コネクタ（86a）とを電装品箱（16）の内部で連結してもよい。
【０１５０】
〈変形例６〉
ケーシング本体（20a）に点検蓋（51）（ケーシング部材）を装着すると、内部配線（56）の接点と、外部配線（86）の接点とが繋がる構成としてもよい。具体的には、例えば内部配線（56）の他端側と接続する第１接点部を点検蓋（51）の外縁部に設ける。点検口（50）の開口縁部に外部配線（86）の他端と接続する第２接点部を設ける。点検口（50）に点検蓋（51）を装着すると、点検蓋（51）側の第１接点部と、ケーシング本体（20a）側の第２接点部とが接触する。これにより、点検蓋（51）の装着に伴い、カメラ（70）側の内部配線（56）と外部配線（86）とを電気的に接続できる。従って、内部配線（56）と外部配線（86）とを接続する作業を省略できる。
【０１５１】
〈変形例７〉
変形例７の空気調和装置（10）は、カメラ（70）に向かって撮像対象の鏡像を形成する鏡（57）を備えている。図２１に模式的に示す例では、ドレンパン（60）が撮像対象となっている。本例では、カメラ（70）のレンズ（71）とドレンパン（60）との間に他の部品（C）が介在している。このため、この部品（C）がカメラ（70）の障害物となり、カメラ（70）は、ドレンパン（60）を直接的に撮像できない。これに対し、本例では、カメラ（70）の撮像方向における前方に鏡（57）が配置され、この鏡（57）にドレンパン（60）の鏡像が形成される。つまり、カメラ（70）、撮像対象、及び鏡（57）は、鏡（57）に形成されドレンパン（60）の鏡像が、カメラ（70）に向かって形成されるように、互いの相対位置が設定される。換言すると、カメラ（70）から鏡（57）に向かう光が鏡（57）によって反射する方向が、ドレンパン（60）を向いている。従って、カメラ（70）とドレンパン（60）との間に所定の部品（C）が介在していたとしても、カメラ（70）は、鏡（57）を介してドレンパン（60）を間接的に撮像できる。
【０１５２】
なお、鏡（57）は、ガラスの表面にアルミニウムや銀などの金属を蒸着した一般的な鏡であってもよいし、金属を磨いて鏡面を形成したいわゆる金属鏡であってもよい。
【０１５３】
〈変形例８〉
変形例８の空気調和装置（10）は、カメラ（70）の光源（72）の反射光の影響を軽減するように、カメラ（70）と反射部（R）との相対位置が設定される。図２２に模式的に示す例では、ドレンパン（60）が撮像対象となっている。カメラ（70）の撮像方向において、ドレンパン（60）の裏側には反射部（R）が位置している。反射部（R）は、例えばステンレス鋼板のような、光が反射し易い金属材料で構成される。本例では、カメラ（70）の撮像方向と、反射部（R）の反射面の垂線（p)とが成す角度（図２２のθａ）が所定角度に設定される。θａが１０°以下であると、撮像時において、カメラ（70）の光源（72）から発する光が反射部（R）に反射した際、反射光がカメラ（70）の撮像範囲に入ってしまい、画像データが不鮮明になる可能性がある。特に、カメラ（70）が自動露出調整などの光に応じた処理を行う場合、画像データが反射光の影響を強く受け、画像データが不鮮明になり易い。これに対し、θａを１０°より大きくすると、反射光がカメラ（70）の撮像範囲に入り込むことを抑制でき、上記の不具合を回避できる。θａは０°より大きく８０°より小さいことが好ましい。  
【０１５４】
《カメラの他の構成》
上記実施形態のカメラ（70）は、以下のような構成であってもよい。
【０１５５】
〈防振部材〉
カメラ（70）と、該カメラ（70）が取り付けられる構成部品（例えば点検蓋（51））との間には、防振部材を介設するのが好ましい。これにより、ケーシング（20）側の振動がカメラ（70）に伝播するのを抑制できる。この結果、カメラ（70）で取得した画像データが振動の影響により不鮮明となることを回避できる。
【０１５６】
〈防水構造〉
カメラ（70）は、その内部への浸水を抑制するための防水構造を有しているのが好ましい。例えばカメラ（70）の周囲を防水用の部材で覆う。これにより、ケーシング（20）内の水（例えば凝縮水、加湿水など）の影響により、カメラ（70）が故障してしまうことを回避できる。
【０１５７】
〈レンズの種類〉
カメラ（70）のレンズ（71）は、広角レンズ、又は魚眼レンズであることが好ましい。なお、ここでいう広角レンズは、一般的な広角レンズに対して、画角が更に広い、いわゆる超広角レンズも含む。魚眼レンズは、１８０°以上の画角を有し、好ましくは２２０°以上の画角を有する。広角レンズや魚眼レンズは、通常のレンズと比べて、画角が広いため、レンズ（71）と撮像対象との距離が比較的短くても撮像対象を広範囲に亘って撮像できる。
【０１５８】
〈自動処理〉
カメラ（70）は、各種の自動処理を行うための自動処理部を有しているのが好ましい。具体的には、自動処理部は、オートフォーカス機能、自動露出調整機能、及びホワイトバランス調整機能の少なくとも１つの機能を実行可能に構成される。
【０１５９】
〈光源〉
図２３に示すように、カメラ（70）は、撮像対象を照らすための光源（72）（フラッシュ）を有する。光源（72）は、カメラ（70）のレンズ（71）よりも撮像方向における後方に設けられる。光源（72）がレンズ（71）の前方に位置すると、カメラ（70）の撮像範囲の光源（72）が直接入ってしまい、光の影響に起因して画像データが不鮮明になってしまう可能性がある。これに対し、光源（72）をレンズ（71）よりも後方に設けることで、カメラ（70）の撮像範囲に光源（72）が直接入り込んでしまうことを回避できる。この結果、光源（72）の影響に起因して画像データが不鮮明になることを回避できる。
【０１６０】
光源（72）の光が強すぎると、レンズ（71）に入射する反射光も強くなり、いわゆるハレーションにより、画像データが不鮮明になる可能性がある。そこで、光源（72）の発光体を覆うガラスとして、磨りガラス（曇りガラス）等の半透明の材料を用いることもできる。
【０１６１】
《実施形態３》
実施形態３に係る空気調和装置（10）は、天井吊り式ないし天井埋め込み式の空気調和装置である。空気調和装置（10）は、室外ユニット（図示省略）と、室内ユニット（11）とを有し、これらが冷媒配管で接続されることで、冷媒回路が構成される。
【０１６２】
図２４に示すように、室内ユニット（11）は、天井裏に設置されるケーシング（20）を備えている。ケーシング（20）は、下側に開口面が形成される矩形箱状のケーシング本体（20a）と、該開放面を塞ぐように該ケーシング本体（20a）に着脱可能に設けられるパネル（130）（ケーシング部材）とを備える。パネル（130）は、矩形枠状のパネル本体（131）と、パネル本体（131）の中央に設けられる吸込グリル（132）とを備えている。
【０１６３】
パネル本体（131）の中央には１つの吸込口（31）が形成される。吸込グリル（132）は、吸込口（31）に取り付けられる。パネル本体（131）の４つの側縁部には、それぞれ吹出口（32）が１つずつ形成される。各吹出口（32）は、４つの側縁に沿うように延びている。各吹出口（32）の内部には、風向調節羽根（133）がそれぞれ設けられる。
【０１６４】
ケーシング本体（20a）の内部には、ベルマウス（134）と、室内ファン（40）と、室内熱交換器（43）と、ドレンパン（60）とが設けられる。ベルマウス（134）及び室内ファン（40）は、吸込グリル（132）の上方に配置される。室内熱交換器（43）は、室内ファン（40）の周囲を囲むように配置される。室内熱交換器（43）は、フィンアンドチューブ式の熱交換器で構成される。ドレンパン（60）は、室内熱交換器（43）の下側に配置される。
【０１６５】
図２４の例では、カメラ（70）が、取付部（52）を介して室内熱交換器（43）に取り付けられる。具体的には、取付部（52）は、構成部品である室内熱交換器（43）の伝熱管や管板に取り付けられる。取付部（52）は、室内熱交換器（43）に着脱可能に構成されるため、カメラ（70）の取り付け作業が簡便となる。
【０１６６】
《空気流れを考慮した撮像装置の配置》
撮像装置であるカメラ（70）は、ケーシング（20）の内部において、その周囲の空気の流速が比較的小さいのが好ましい。具体的に、空気調和装置（10）の吹出口（32）から吹き出される空気の平均流速をＶaとすると、カメラ（70）は、吹出空気の平均流速Ｖａの３０％以下の空気が流れる位置に配置される。カメラ（70）の周囲の空気の流速が大きすぎると、空気中の塵埃などがカメラ（70）のレンズ（71）の表面に付着し易くなり、レンズ（71）が汚れ易くなる。これに対し、カメラ（70）の周囲の空気の流速を、吹出空気の平均流速Ｖａの３０％以下とすると、このようなレンズ（71）の汚れを抑制できる。
【０１６７】
カメラ（70）のレンズ（71）は、風下側（空気流れの下流側）を向いているのが好ましい。このようにすると、空気中の塵埃等がレンズ（71）の表面に付着しにくくなるため、レンズ（71）の汚れを抑制できる。レンズ（71）を風下側に向ける構成とする場合、レンズ（71）の周囲の空気の流速は、３０％以下とするのがより好ましい。
【０１６８】
カメラ（70）のレンズ（71）は、風上側（空気流れの上流側）を向くように配置してもよい。この場合、カメラ（70）のレンズ（71）は、魚眼レンズ（球面状のレンズ）を用いるのが好ましい。
【０１６９】
《ドレンパンに係る他の変形例》
上述したようなハレーションを利用して、ドレンパン（60）の水位を検出することもできる。つまり、ドレンパン（60）の水位が所定値（例えば上限の水位）に達すると、ハレーションが生じるように、カメラ（70）及びドレンパン（60）の相対位置を設定する。これにより、ハレーションが生じた画像データに基づき、ドレンパン（60）の水位が所定高さに至ったことを判定できる。
【０１７０】
ドレンパン（60）の内部に浮きなどを設けたり、ドレンパン（60）の内壁に目盛りやマークを付したりしてもよい。こうすると、画像データにおけるドレンパン（60）の水位を判定し易くなる。
【０１７１】
ドレンパン（60）の内壁に、紫外線により発光する発光塗料を塗るとともに、ＵＶ（紫外線）ランプ等で、この発光塗料を照射するようにしてもよい。発光塗料が白く光る状態で、ドレンパン（60）を撮像すると、ドレンパン（60）の汚れやバイオフィルムが黒く際立つ。これにより、画像データ中において、ドレンパン（60）の汚れやバイオフィルムを確認し易くなる。
【０１７２】
カメラ（70）のレンズ（71）をドレンパン（60）内の所定の水位に合わせるようにカメラ（70）を配置してもよい。この場合、ドレンパン（60）の水位が所定高さになると、レンズ（71）が浸水し、この状態の画像データが取得される。この画像データに基づき、ドレンパン（60）の水位が所定高さに至ったことを判定できる。
【０１７３】
《撮像装置が設けられる構成部品の変形例》
撮像装置（70）が設けられる構成部品は、上述した冷媒配管（ヘッダ集合管（47）や水配管（49））に限られない。例えば構成部品は、配管を支持するための配管固体板、熱交換器の管板、熱交換器の押さえ板などの板状の部材であってもよい。構成部品は、ファン（40）のモータを支持するモータ台、水槽（例えば上述した給水タンク）、ダクトの接続口（吹出口、吸込口）などであってもよい。これらの構成部品は、メンテナンスの際などは通常、取り外しが行われない部品である。
【０１７４】
なお、構成部品として、メンテナンス時において、ケーシング本体（20a）から取り外されるような部品に取付部（52）を取り付け、カメラ（70）を支持させることもできる。このような部品としては、例えば点検蓋（51）、ドレンポンプ（66）、水配管に接続される弁（電磁弁）、冷媒配管に接続される弁（例えば電磁弁や膨張弁）、フロートスイッチなどが挙げられる。実施形態２であれば、加湿エレメント（45）、給水タンクの蓋などが挙げられる。実施形態３であれば、ケーシング（20）内に設置される電装品箱、パネル（130）（パネル本体（131）及び吸込グリル（132））などが挙げられる。
【０１７５】
《撮像対象の変形例》
撮像装置（70）の撮像対象は、ドレンパン（60）及び加湿エレメント（45）以外であってもよい。例えば撮像対象は、ドレンポンプ（66）、排水口（ドレンパン（60）内の排水口も含む）、ドレンパン（60）内の水の表面（水位）であってもよい。
【０１７６】
上述したように、実施形態２のドレンパン（60）には、加湿エレメント（45）から流出した水（加湿水）が回収される。加湿エレメント（45）が正常に動作しない場合、ドレンパン（60）の排水口を余剰の加湿水が流れない状態となる。従って、ドレンパン（60）の排水口近傍の水の有無を画像データから判定することで、加湿エレメント（45）が正常に動作しているか否かを判定できる。
【０１７７】
《取付部の変形例》
上述した取付部（52）は、必ずしも構成部品（C）を挟み込む方式でなくてもよい。例えば取付部（52）は、例えば結束バンドや面ファスナーなど、構成部品（C）に着脱可能に巻き付けられる締付部材であってもよい。
【０１７８】
《その他の実施形態》
上述した全ての形態においては、以下のような構成としてもよい。
【０１７９】
撮像装置（70）は、カメラに限定されず、例えば光学センサ等であってもよい。
【０１８０】
撮像装置（70）の撮像制御部（74）は、必ずしもカメラ（70）側に設けられていなくてもよく、例えば図１１に示す通信ユニット（90）側に設けてもよい。また、カメラ（70）は、ＯＮされる（通電される）ことで撮像動作を開始するものであってもよい。この場合、撮像動作を開始させるタイミングでカメラ（70）に通電するように制御すればよい。
【０１８１】
撮像装置（70）は、天井裏に設置される室内ユニット（11）のケーシング（20）に適用されているが、床置き式、壁掛け式、天井吊り下げ式等の室内ユニットのケーシングに適用されてもよい。また、撮像装置（70）は、室外ユニットのケーシングに適用されてもよい。
【０１８２】
上述した冷房運転及び暖房運転で示した種々の撮像タイミングを、実施可能な範囲において、如何なるパターンで組み合わせてもよい。
【０１８３】
撮像装置（70）は、空気調和装置（10）以外の空気処理装置に適用されてもよい。他の空気処理装置としては、例えば空気の湿度を調節する調湿装置、室内の換気を行う換気装置、空気を浄化する空気浄化装置などが挙げられる。
【産業上の利用可能性】
【０１８４】
本発明は、空気処理装置について有用である。
【符号の説明】
【０１８５】
１０      空気調和装置（空気処理装置）
２０      ケーシング
２０ａ    ケーシング本体（本体）
４０      ファン（撮像対象）
４３      室内熱交換器（撮像対象）
４５      加湿エレメント（撮像対象）
５１ａ    内壁
５２      取付部
５３      挟持部材
５５      締結部材（押付部材）
５６      配線（内部配線）
５６ａ    第１コネクタ（コネクタ）
６０      ドレンパン（撮像対象）
６６      ドレンポンプ（撮像対象）
７０      カメラ（撮像装置）
７１      レンズ
７２      光源
７７      無線通信部
８０      受信部
８６      外部配線
９１      伝送線
【手続補正２】
【補正対象書類名】特許請求の範囲
【補正対象項目名】全文
【補正方法】変更
【補正の内容】
【特許請求の範囲】
【請求項１】
ケーシング（20）と、
前記ケーシング（20）の内部に配置されるドレンパン（60）と、
前記ドレンパン（60）の内部の画像データを取得する撮像装置（70）とを備え、
前記ケーシング（20）の本体（20a）には、所定の構成部品（43,47,49）が設けられ、
前記撮像装置（70）は、前記ドレンパン（60）の内部を撮像可能な位置となるように前記構成部品（43,47,49）に着脱可能に取り付けられる取付部（52）を有し、
前記撮像装置（70）で撮像した画像データを前記ケーシング（20）の外部に出力するように構成されることを特徴とする空気処理装置。
【請求項２】
請求項１において、
前記撮像装置（70）は、前記ドレンパン（60）の上方に位置するように前記構成部品（43,47,49）に支持されることを特徴とする空気処理装置。
【請求項３】
請求項２において、
前記ケーシング（20）の内部における前記ドレンパン（60）の上方に配置される熱交換器（43）を備え、
前記撮像装置（70）は、前記構成部品としての前記熱交換器（43）に支持されることを特徴とする空気処理装置。
【請求項４】
請求項３において、
前記撮像装置（70）は、前記構成部品としての前記熱交換器（43）のヘッダ集合管（47）に支持されることを特徴とする空気処理装置。
【請求項５】
請求項３又は４において、
前記撮像装置（70）は、前記熱交換器（43）と平面視において重ならない位置にあることを特徴とする空気処理装置。
【請求項６】
請求項１乃至５のいずれか１つにおいて、
前記ケーシング（20）には、点検口（50）が形成され、
前記点検口（50）を開閉するように前記ケーシング（20）の本体（20a）に着脱可能に取り付けられる点検蓋（51）を備え、
前記撮像装置（70）の取付部（52）は、前記構成部品（47）のうち前記点検口（50）を通じて前記ケーシング（20）の外部に露出される部分に取り付けられることを特徴とする空気処理装置。
【請求項７】
請求項１乃至６のいずれか１つにおいて、
前記ドレンパン（60）内の水を汲み上げるドレンポンプ（66）を備え、
前記撮像装置（70）の撮像方向が、前記ドレンポンプ（66）を向いていることを特徴とする空気処理装置。
【請求項８】
請求項１乃至７のいずれか１つにおいて、
前記取付部（52）は、
前記構成部品（47,49）を挟むように対向する一対の挟持部材（53）と、
前記一対の挟持部材（53）の間隔を狭めるように該挟持部材（53）を押し付ける押付部材（55）とを備えていることを特徴とする空気処理装置。
【請求項９】
請求項１乃至８のいずれか１つにおいて、
前記撮像装置（70）で取得した画像データを無線により前記ケーシング（20）の外部へ伝送する無線通信部（77）を備えていることを特徴とする空気処理装置。
【請求項１０】
請求項１乃至９のいずれか１つにおいて、
前記撮像装置（70）で取得した画像データを有線によりケーシング（20）の外部へ伝送する伝送線（91）と、
前記ケーシング（20）の外部に配置されるとともに、前記伝送線（91）の出力データを無線により所定の受信部（80）へ伝送する無線通信部（77）とを備えていることを特徴とする空気処理装置。
【請求項１１】
請求項１乃至１０のいずれか１つにおいて、
一端が前記撮像装置（70）に接続するとともに、前記ケーシング（20）の外部まで配設される配線（56）を備え、
前記配線（56）の他端には、外部配線（86）が接続されるコネクタ（56a）が設けられることを特徴とする空気処理装置。
【請求項１２】
請求項１乃至１１のいずれか１つにおいて、
前記撮像装置（70）は、広角式又は魚眼式のレンズ（71）を備えていることを特徴とする空気処理装置。
【請求項１３】
請求項１乃至１２のいずれか１つにおいて、
前記撮像装置（70）は、レンズ（71）と、該レンズ（71）よりも撮像方向における後方に位置する光源（72）とを備えていることを特徴とする空気処理装置。
【請求項１４】
請求項１乃至１３のいずれか１つにおいて、
前記構成部品は、配管（47,49）であることを特徴とする空気処理装置。
【請求項１５】
請求項１乃至１４のいずれか１つにおいて、
ケーシング（20）から吹き出される吹出空気の平均流速をＶａとすると、
前記撮像装置（70）は、前記吹出空気の平均流速Ｖａの３０％以下の空気が流れる位置に配置されることを特徴とする空気処理装置。
【請求項１６】
請求項１乃至１５のいずれか１つにおいて、
前記撮像装置（70）のレンズ（71）は、空気流れの下流側を向いていることを特徴とする空気処理装置。